(57)【要約】【課題】  筒状体内に毛髪を容易に且つ短時間で取り込むことのできる毛髪処理器具を提供すること。【解決手段】  本発明の毛髪処理器具は、一端部に毛髪取り込み口を有する細長形状の可撓性材料からなる毛髪保持具と、該毛髪保持具内に毛髪を挿入する毛髪挿入具と、該毛髪保持具に保持された毛髪を所定の形状に巻き上げ、湾曲又は屈曲させる巻き上げ手段とを備えている。また、本発明の毛髪処理方法は、細長形状の可撓性材料からなり、毛髪の保持が可能になされている毛髪保持具を具備する毛髪処理器具における該毛髪保持具に、所定量の毛髪を保持し、次いで該毛髪保持具に備えられた所定の巻き上げ手段によって該毛髪保持具に保持された毛髪を巻き上げ、湾曲又は屈曲させることからなる。【選択図】    図２
2005324073.tif 000002
【特許請求の範囲】
【請求項１】
一端部に毛髪取り込み口を有する細長形状の可撓性材料からなる毛髪保持具と、該毛髪保持具内に毛髪を挿入する毛髪挿入具と、該毛髪保持具に保持された毛髪を所定の形状に巻き上げ、湾曲又は屈曲させる巻き上げ手段とが備えられている毛髪処理器具。
【請求項２】
前記巻き上げ手段が、前記毛髪保持具に取り付けられている糸からなる請求項１記載の毛髪処理器具。
【請求項３】
前記毛髪保持具は、複数枚の帯状シートを互いに接合して筒状に形成されており、複数枚の前記帯状シートのうちの少なくとも１枚が、前記巻き上げ手段としての熱収縮性シートからなり、その他の帯状シートが熱収縮性を有していないシートからなる請求項１記載の毛髪処理器具。
【請求項４】
前記毛髪保持具は、該毛髪保持具をその長手方向に引き伸ばした状態から、所定の巻き上げ形態に巻き上げられた状態へ自発的に巻き上げられるようにくせ付けされており、該くせ付けが前記巻き上げ手段を構成している請求項１記載の毛髪処理器具。
【請求項５】
前記毛髪挿入具は、その先端に毛髪のフック部を有し、前記毛髪保持具内に、前記毛髪挿入具がそのフック部を前記毛髪保持具の毛髪取り込み口側に向けて挿入された状態で使用される請求項１記載の毛髪処理器具。
【請求項６】
前記フック部はループ形状であってその周長が前記毛髪取り込み口の周長よりも大きくなされていると共に該フック部が変形可能になされている請求項５記載の毛髪処理器具。
【請求項７】
前記フック部が櫛歯を有している請求項５記載の毛髪処理器具。
【請求項８】
前記毛髪取り込み口及びその近傍の部位が、前記毛髪保持具における他の部位よりも高剛性となされている請求項１記載の毛髪処理器具。
【請求項９】
前記毛髪処理器具は、挿入補助具を更に具備し、該挿入補助具には、該挿入補助具をその長さ方向に貫き且つ入口及び出口を有する貫通路が形成されており、該貫通路は前記入口から前記出口に向けて先細りとなっており、前記毛髪挿入具には把持部が備えられており、該把持部が前記挿入補助具の貫通路を前記入口から前記出口に向けて貫通し、更に前記毛髪保持具の毛髪取り込み口に挿通されている請求項１記載の毛髪処理器具。
【請求項１０】
前記毛髪保持具は、一面及びこれと反対側に位置する他面を有し、該一面には、該毛髪保持具を所定の形状に巻き上げ、湾曲又は屈曲させて該一面と該他面とを当接させたときに、該一面と該他面とが接合して、又は該一面同士が接合して該所定の形状を保持し得る接合部が設けられている請求項１記載の毛髪処理器具。
【請求項１１】
前記毛髪保持具が細長筒形状からなる請求項１記載の毛髪処理器具。
【請求項１２】
前記毛髪保持具の他端部が開閉可能になされている請求項１１記載の毛髪処理器具。
【請求項１３】
前記毛髪保持具の内面に、毛髪処理剤が施されている請求項１１記載の毛髪処理器具。
【請求項１４】
前記毛髪保持具における横断面の少なくとも半周部分の部分は、該毛髪保持具の長手方向全長に亘って、テーバーこわさが０．４ｍＮ・ｍ以下である請求項１１記載の毛髪処理器具。
【請求項１５】
前記毛髪保持具がその短手方向に伸縮性を有している請求項１１記載の毛髪処理器具。
【請求項１６】
前記毛髪保持具は、１枚のシートを、その長手方向に沿って二つ折りし、その長手方向に沿う側端部同士を接合させて形成されている請求項１１記載の毛髪処理器具。
【請求項１７】
前記毛髪保持具は、２枚のシートを、その長手方向に沿う側端部同士を接合させて形成されており、少なくとも一方の該シートのテーバーこわさが０．４ｍＮ・ｍ以下である請求項１１記載の毛髪処理器具。
【請求項１８】
前記毛髪保持具は、１枚の伸縮性を有するシートを、その長手方向に沿って二つ折りし、その長手方向に沿う側端部同士を接合させて形成されており、接合された該側端部の部分は、伸縮性を有していない請求項１１記載の毛髪処理器具。
【請求項１９】
前記毛髪処理器具の使用前に、前記毛髪挿入具が、予め前記毛髪保持具に取り付けられている請求項１記載の毛髪処理器具。
【請求項２０】
前記毛髪保持具が、毛髪処理剤に対して透過性又は非透過性を有する請求項１記載の毛髪処理器具。
【請求項２１】
細長形状の可撓性材料からなり、毛髪の保持が可能になされている毛髪保持具を具備する毛髪処理器具における該毛髪保持具に、所定量の毛髪を保持し、次いで該毛髪保持具に備えられた所定の巻き上げ手段によって該毛髪保持具に保持された毛髪を巻き上げ、湾曲又は屈曲させる毛髪処理方法。
【請求項２２】
前記毛髪保持具は、一端部が毛髪取り込み口となっている細長筒形状からなり、該毛髪保持具内に所定量の毛髪を所定方法によって挿入して保持する請求項２１記載の毛髪処理方法。
【請求項２３】
前記毛髪保持具に保持され且つ巻き上げ、湾曲又は屈曲された状態の毛髪に対して、この状態下に毛髪処理剤を前記毛髪保持具に向けて付与するか、又は毛髪処理剤を前記毛髪取り込み口から前記毛髪保持具内に供給する請求項２２記載の毛髪処理方法。
【請求項２４】
前記毛髪処理剤がパーマネント剤であり、前記可撓性材料が該パーマネント剤に対して透過性を有し、前記状態下に前記毛髪保持具に向けて該パーマネント剤を付与する請求項２３記載の毛髪処理方法。
【請求項２５】
前記毛髪保持具に保持され且つ巻き上げ、湾曲又は屈曲された状態の毛髪に対して、この状態下に所定の加熱手段によって該毛髪を加熱する請求項２１記載の毛髪処理方法。
【発明の詳細な説明】
【技術分野】
【０００１】
本発明は、所定量の毛髪を容易に取り扱うことのできる毛髪処理器具に関する。また本発明は、毛髪に所望のくせ付けをするために用いられる毛髪処理器具に関する。また本発明は、パーマ等により毛髪にカールを付与する場合に、毛髪を所定の形状に巻回するために用いられる毛髪処理器具に関する。更に本発明は、パーマネントウエーブや染毛などの各種毛髪処理方法に関する。
【背景技術】
【０００２】
シートを利用して毛髪にくせ付けする方法として、古くは例えば特許文献１等に記載の手段が知られている。しかし、このような手段は毛髪の取り扱いが困難であった。
【０００３】
そこで、毛髪をより取り扱いやすく、またくせ付けのハンドリングも容易に行えるようにした毛髪巻取り技術として、特許文献２には、筒状にした毛髪巻取具及び毛髪巻取り方法が提案されている。このような筒状毛髪巻取具によれば、毛髪束が格段に取り扱いやすくなり非常に大きなメリットがある。
【０００４】
特許文献２に記載の毛髪巻取具は、屈曲自在で且つその屈曲形状の保持が可能な塑性変形部材を筒状体の長手方向に沿って取り付けてなり、該筒状体内に毛髪を取り込んだ状態で塑性変形部材を変形させることで毛髪の巻回状態を保持するものである。この毛髪巻取具は、棒状体の端部に毛髪を包囲可能な環部が一体成形されてなる毛髪取込具と共に用いられる。
【０００５】
しかし、この毛髪巻取具は、和紙や不織布などの剛性の低い材料から構成されているので、毛髪取込具を用いて毛髪を毛髪巻取具内に取り込むときに、該毛髪巻取具の入り口が容易に変形してしまい毛髪や毛髪取込具の環部が引っかかりやすく、毛髪を毛髪巻取具内に取り込むのが容易でない。しかも、毛髪取込具の環部はプラスチック材料から構成されているので、毛髪巻取具の入り口に毛髪や毛髪取込具の環部が一層引っかかりやすい。また、毛髪取込具の環部は、その大きさが大きいほど毛髪を該環部内に入れ易いが、この毛髪取込具では、その材質上の制限から、その環部の大きさを、毛髪巻取具の入り口の大きさよりも大きくすることが出来ない。
【０００６】
更に、この毛髪巻取具を用いてパーマネントウエーブ処理を行う場合には、毛髪を巻回させる前にパーマネント処理液を施し、その後に前記筒状体を手で巻回させるとされている。しかし、このパーマネントウエーブ処理では、従来と同様に、依然として手で毛髪を巻回させる必要があるので、手間がかかるという欠点がある。しかも、この巻回操作を使用者自身で行うには操作性が良好でなく時間と手間のかかるものとなる。
【０００７】
その上、この毛髪巻取具を筒状に形成した場合、変形により内側と外側のシートに必然的に歪みが生じてしまう。この歪みは筒状の毛髪保持具に挿入する毛髪束が増えるほど、また毛髪に曲率の大きなウェーブを付けようとするほど顕著になる。また、歪みを解消しない状態でくせ付けをを行うと綺麗な円形なウェーブにならず、不均一な多角形のウエーブが形成されてしまう。
【０００８】
特許文献３には、重ね合わされた２枚の可撓性シートの両側部をそれぞれ接合してなるヘアカーラが記載されている。このヘアカーラを構成する可撓性シートのうちの一方は巻回された状態で形状が記憶された形状記憶物質からなり、他方は網状シート又は不織布シートからなる。更に両シートの接合においては一方の側部を着脱可能に接合している。このヘアカーラを用いれば毛髪を容易に巻回させることは可能であるが、巻回させる前の操作としての、ヘアカーラ内への毛髪の取り込みが困難である。
【０００９】
特許文献４には、パーマ等により毛髪にカールを付与する場合の補助具として、網状シートからなり、長手方向及び短手方向に伸縮性を有する筒状の毛髪処理装置が記載されている。この毛髪処理装置によれば、その筒状部を長手方向に縮小し短手方向に伸張してから、筒状部の中に毛髪束を挿通し、筒状部を伸張させた後、筒状部を毛髪束と共に複数箇所ねじったりしてから、その状態を所定時間維持する等して、毛髪束にカールを付与することができる。しかし、この毛髪処理装置を用いた場合、筒状部に毛髪束を挿通する際又は挿通した後に、筒状部が収縮すると毛先がいわゆる逆毛になったり、毛先に不規則なくせが付いたりして、毛髪束に綺麗なカールを付与できないという問題点がある。
【００１０】
【特許文献１】実公昭１１−１４５４６号公報
【特許文献２】特開平１０−１９２０３６号公報
【特許文献３】実公平６−３７７６２号公報
【特許文献４】国際公開第００／５７７４４号パンフレット
【発明の開示】
【発明が解決しようとする課題】
【００１１】
従って、本発明は、筒状体内に毛髪を容易に且つ短時間で取り込むことのできる毛髪処理器具を提供することを目的とする。
また本発明は、毛髪の巻き上げを容易に且つ短時間で行い得る毛髪処理器具を提供することを目的とする。
また本発明は、毛髪に容易にくせ付けを行うことのできる毛髪処理器具を提供することを目的とする。
また本発明は、毛髪に、容易且つ確実に綺麗なカールを付与することのできる毛髪処理器具を提供することを目的とする。
更に、本発明は、パーマネントウエーブや染毛などの各種毛髪処理を容易に行い得る毛髪処理方法を提供することを目的とする。
【課題を解決するための手段】
【００１２】
本発明は、一端部に毛髪取り込み口を有する細長形状の可撓性材料からなる毛髪保持具と、該毛髪保持具内に毛髪を挿入する毛髪挿入具と、該毛髪保持具に保持された毛髪を所定の形状に巻き上げ、湾曲又は屈曲させる巻き上げ手段とが備えられている毛髪処理器具を提供することにより前記目的を達成したものである。
【００１３】
また、本発明は、細長形状の可撓性材料からなり、毛髪の保持が可能になされている毛髪保持具を具備する毛髪処理器具における該毛髪保持具に、所定量の毛髪を保持し、次いで該毛髪保持具に備えられた所定の巻き上げ手段によって該毛髪保持具に保持された毛髪を巻き上げ、湾曲又は屈曲させる毛髪処理方法を提供することにより前記目的を達成したものである。
【発明の効果】
【００１４】
本発明の毛髪処理器具によれば、筒状体内に毛髪を容易に且つ短時間で取り込むことができる。また本発明の毛髪処理器具によれば、毛髪の巻き上げを容易に且つ短時間で行うことができる。更に、本発明の毛髪処理器具によれば、毛髪に容易にくせ付けを行うことができる。また、パーマネント処理も容易行うことができる。また更に、本発明の毛髪処理器具によれば、毛髪に、容易且つ確実に綺麗なカールを付与することができる。
本発明の毛髪処理方法によれば、パーマネントウエーブや染毛などの各種毛髪処理を容易に行うことができる。特に本発明の毛髪処理方法は、パーマネントウエーブ処理や、毛髪の部分染めに有効である。
【発明を実施するための最良の形態】
【００１５】
以下本発明を、その好ましい実施形態に基づき図面を参照しながら説明する。図１には、本発明の毛髪処理器具の一実施形態の斜視図が示されている。毛髪処理器具１は、細長形状であり、毛髪の保持が可能になされている毛髪保持具２と毛髪挿入具３とを具備している。
【００１６】
毛髪保持具２は細長筒形状をしており、可撓性材料から構成されている。毛髪は毛髪保持具２内に挿入されて保持される。毛髪保持具２は、一端部及び他端部を有しており、各端部は開口している。両端部のうち上端部は毛髪取り込み口４となっている。他端部である下端部には、該下端部の開閉手段としてのチャック５が取り付けられており、該下端部がチャック５によって開閉可能になされている。この開閉手段としては、チャックの他に、面ファスナ、粘着テープ、自己接着性テープ〔例えば仁礼工業製のふしぎテープ（商品名）〕などを用いることもできる。毛髪保持具２の長さは、処理すべき毛髪の長さに応じて適切な長さとされ、好ましくは処理すべき毛髪の長さよりも長くなっている。毛髪保持具２の長さは一般に５０〜６００ｍｍ程度の範囲である。
【００１７】
毛髪取り込み口４は、その開口端に向かうにつれて漸次拡開した漏斗状の形状をしている。これによって、毛髪挿入具３を用いて毛髪を毛髪保持具２内に挿入する際、毛髪取り込み口４に毛髪や毛髪挿入具３が引っかかり難くなり、毛髪を取り込み易くなる。毛髪取り込み口４及びその近傍の部位は、毛髪保持具２における他の部位よりも高剛性となされている。これによって、毛髪を取り込む際に毛髪取り込み口４に、毛髪や毛髪挿入具３が引っかったとしても毛髪取り込み口４が変形しづらくなり、毛髪を取り込み易くなる。毛髪取り込み口４及びその近傍の部位をその他の部位よりも高剛性とするには、例えば毛髪保持具２がプラスチック成形により製造される場合にはこれらの部位をその他の部位よりも肉厚に成形すればよい。また毛髪保持具２が不織布やネットなどから構成される場合には、毛髪取り込み口４及びその近傍の部位に高剛性の材料、例えばプラスチック板や板紙などを貼り付ければよい。
【００１８】
毛髪取り込み口４は、その開口端が毛髪を取り込みやすい形状となっていることが好ましい。例えば毛髪取り込み口４の開口端の形状が、円形又は長径と短径との比が１に近い楕円形であると毛髪を取り込み易い。これに加えて、毛髪取り込み口４の開口端の最大幅Ｗ（図１参照）が、５〜２００ｍｍ、特に１０〜９０ｍｍであると、毛髪の取り込み易さと、取り扱い性及び操作性とがバランスするので好ましい。
【００１９】
毛髪保持具２を構成する材料としては、各種可撓性材料が用いられる。その例としては、不織布、多孔性又は非多孔性の樹脂フィルム、紙、樹脂ネット、又はこれらの複合体などが挙げられ、毛髪処理器具１の具体的用途に応じて適切な材料が選択される。例えば、毛髪保持具２内に挿入された状態の毛髪に毛髪処理剤を施す場合、挿入されている毛髪のみに毛髪処理剤を施したいときには、該毛髪処理剤に対して非透過性を有する材料を用いればよい。また、挿入されている毛髪に対して毛髪保持具２の外部から毛髪処理剤を施したいときには、該毛髪処理剤に対して透過性を有する材料を用いればよい。
【００２０】
図１に示すように、毛髪保持具２には、その外側面に、該毛髪保持具２の巻き上げ手段としての巻き上げ用糸６が、スパイラル状に巻き付けられている。巻き上げ用糸６は、毛髪保持具２内に挿入された状態の毛髪を、該毛髪保持具２ごと巻き上げる手段として用いられる。本明細書において巻き上げとは、毛髪に所定のくせ付けをすること全般を意味し、本来の巻き上げに加えて例えば湾曲や屈曲なども包含される。巻き上げ用糸６は、毛髪保持具２にスパイラル状に間欠的に設けられた複数の挿通孔７に挿通されている。挿通孔７は、毛髪保持具２を正面から視たときに、長手方向の両側部に設けられている。各側部に設けられている各挿通孔７は所定間隔を置いて配列され、挿通孔列８Ａ，８Ｂを形成している。また、各挿通孔７は、毛髪保持具２の高さ方向（長手方向）に関し、毛髪保持具２の側面に沿って各挿通孔を順次結んだときにスパイラル状の軌跡を描くように配列されている。
【００２１】
各挿通孔７は近接して配された一対の小孔７Ａ，７Ｂからなる。小孔７Ａ，７Ｂは、巻き上げ用糸６が挿通できる程度に開孔していればよく、この点から、毛髪保持具２に小切込を形成し、これを小孔として用いることもできる。巻き上げ用糸６が、毛髪保持具２の外側面に巻き付けられていることは前述の通りであるが、該巻き上げ用糸６は、一対の小孔７Ａ，７Ｂ間のみにおいて毛髪保持具２の内側面に配されている。これによって巻き上げ用糸６は毛髪保持具２の外側面に保持されることになる。
【００２２】
巻き上げ用糸６は、その一端が、毛髪保持具２における最下端に位置する挿通孔７（図１では、挿通孔列８Ａの最下端）の位置において引き抜かれないようになされている。具体的には、巻き上げ用糸６の一端を毛髪保持具２に固定することで、その引き抜きを防止している。巻き上げ用糸６の固定には、接着剤による接着、熱融着などが用いられる。また、巻き上げ用糸６の一端に、小孔よりも大きな結び目を作り、この結び目によって巻き上げ用糸６を小孔に係止することで、巻き上げ用糸６の引き抜きを防止してもよい。一方、毛髪保持具２における最上端に位置する挿通孔７（図１では、挿通孔列８Ｂの最上端）においては、巻き上げ用糸６は自由状態になっている。これによって、巻き上げ用糸６の他端を引っ張ると、毛髪保持具２は、スパイラル状に変形することになる（これについては更に後述する）。
【００２３】
巻き上げ用糸６は、これを引っ張って毛髪の巻き上げ操作を行うときに、引きちぎれない程度の強度及び巻き上げ操作を円滑に行い得る柔軟性を有していることが好ましく、この点から、各種樹脂などの合成物、木綿や麻などの天然物、レーヨンなどの半天然物、各種金属、又はこれらの複合体などから構成されていることが好ましい。また、巻き上げ用糸６は、糸状のものに限られず、例えば細長い帯状のものであってもよい。
【００２４】
次に毛髪挿入具３について引き続き図１を参照しながら説明する。毛髪挿入具３は、細長形状の把持部９と、該把持部９の先端に取り付けられたフック部１０とを備えている。フック部１０は、毛髪保持具２内に挿入される毛髪を引っかけるために用いられ、変形可能になされている。本実施形態の毛髪挿入具２は、一本の線材から構成されている。詳細には、その一端に小ループ１１を形成し、その他端をこの小ループ１１に通すことで大ループからなるフック部１０を形成している。更に大ループの所定位置に小ループ１１を通過しない大きさの係止部１２が設けられている。この毛髪挿入具３を使用するに際しては、毛髪を引っかけやすい大きさまでフック部１０を広げて毛髪を引っかける。次に把持部９を引っ張ることでフック部１０を縮める。この操作によってフック部１０は係止部１２で規制される大きさにまで縮められる。毛髪挿入具３を構成する線材の素材としては、前述した巻き上げ用糸６と同様のものを用いることができる。特に、操作性、取り扱い性及び毛髪処理剤に対する耐食性などの点から、金属製の針金を合成樹脂で被覆したものが好ましく用いられる。
【００２５】
毛髪挿入具３は毛髪保持具２内に挿入された状態で使用される。詳細には、図１に示すように、毛髪挿入具３のフック部１０を毛髪保持具２の毛髪取り込み口４側に向けて挿入された状態で使用される。この場合、使用前に毛髪挿入具３が予め個別に毛髪保持具２に取り付られた状態の毛髪処理器具１を用いてもよく、或いは毛髪処理器具１を使用するときに毛髪挿入具３を毛髪保持具２に取り付けてもよいが、予め取り付けられていることにより、製品の製造工程において最適な状態で毛髪保持具２に取り付けることができ、使用者が使用時に取り付ける場合に比べて、取り付けの失敗がない。また、毛髪挿入具３には、取り付けるのに必要とされる強度が要求されないので、糸やフィルムなどの安価な素材に単純な加工を施したものを用いることができ、毛髪挿入具３を生産性高く、低コストで製造できる。毛髪処理器具１を使用するに先立ち、毛髪挿入具３のフック部１０を、毛髪保持具２の毛髪取り込み口４から突出させる。そして、フック部１０に所望量の毛髪を引っかけ、この状態下に毛髪挿入具３の他端部から引き出されている毛髪挿入具３の把持部９を引っ張る。これによって、フック部１０に引っかけられている毛髪がフック部１０と共に毛髪保持具２内に挿入される。フック部１０が毛髪保持具２内に引き入れられると、該毛髪保持具２内の所定位置において、フック部１０による毛髪の引っかけが解除され、毛髪は毛髪保持具２内に円滑に挿入される。フック部１０は、毛髪保持具２の下端部を通じて毛髪保持具２の外に引き出される。この説明から明らかなように、毛髪挿入具３の全長は毛髪保持具２の全長よりも長くなっている。
【００２６】
毛髪挿入具３においては、そのフック部１０が変形可能になされているので、該フック部１０に所望量の毛髪を引っかけて毛髪保持具２内に挿入する際に、仮にフック部１０が毛髪取り込み口４に当たっても、それに対応して変形するので、毛髪の挿入を円滑に行うことができる。特に本実施形態においては、毛髪取り込み口４及びその近傍が高剛性となっているので、フック部１０が毛髪取り込み口４に当たった時に該フック部１０の変形が促進され、毛髪の挿入を一層円滑に行うことができる。
【００２７】
更に、毛髪挿入具３においては、フック部１０の周長が、毛髪保持具２における毛髪取り込み口４の周長よりも大きくなされている。フック部１０の周長は、その値が大きいほど毛髪の引っかけを容易に行うことができるが、フック部１０が変形可能になっていない場合には、フック部１０の周長は毛髪取り込み口４の周長で規制されてしまい、フック部１０の周長を大きくすることに制限がある。しかし、本実施形態におけるフック部１０は前述の通り変形可能になっているので、その周長を毛髪取り込み口４の周長よりも大きくすることができ、その結果フック部１０への毛髪の引っかけを容易に行うことが可能となる。本実施形態のフック部１０における周長とは、フック部１０の縮小が係止部１２で規制された状態での値である。フック部の周長は、毛髪取り込み口４の周長の１倍超１０倍以下、特に１倍超５倍以下であることが、フック部１０への毛髪の引っかけを容易に行い得る点、並びに毛髪挿入具３の操作性及び取り扱い性の点から好ましい。同様の理由から、フック部１０の周長の値そのものは４０〜５００ｍｍ、特に８０〜２００ｍｍであることが好ましい。
【００２８】
同様の理由により、毛髪挿入具３においては、フック部１０の最大幅Ｔ（図１参照）が、毛髪保持具２における毛髪取り込み口４の最大幅Ｗよりも大きくなされている。フック部１０の最大幅Ｔは、フック部１０を種々の形状に変形させて最も幅が広くなる形状のときの当該幅をいう。本実施形態のフック部１０における最大幅Ｔとは、フック部１０の縮小が係止部１２で規制された状態での値である。フック部の最大幅Ｔは、毛髪取り込み口４の最大幅Ｗの１倍超１０倍以下、特に１倍超５倍以下であることが、フック部１０への毛髪の引っかけを容易に行い得る点、並びに毛髪挿入具３の操作性及び取り扱い性の点から好ましい。同様の理由から、フック部１０の最大幅Ｔの値そのものは２０〜２５０ｍｍ、特に４０〜１００ｍｍであることが好ましい。
【００２９】
図には示していないが、フック部１０は櫛歯を有していることが好ましい。これによって、毛髪保持具２内に毛髪を挿入する際に、毛髪を梳く効果が付与され、毛髪保持具２内に毛髪が均一に分散され、後述する毛髪処理を均一に行うことができる。この点から、櫛歯はフック部１０を構成するループの内方（即ち、ループの中心方向）を向いていることが好ましい。
【００３０】
次に、本実施形態の毛髪処理器具を用いた毛髪処理方法について、パーマネントウエーブ処理を例にとり図２（ａ）〜図２（ｄ）を参照しながら説明する。先ず図２（ａ）に示すように、毛髪保持具２内に毛髪挿入具３が挿入され、該毛髪挿入具３のフック部１０が、毛髪保持具２の毛髪取り込み口４から突出している状態の毛髪処理器具１を用意する。毛髪保持具２の下端部からは、毛髪挿入具３の把持部９の端部が引き出されている。本実施形態においては、毛髪保持具２として、パーマネント処理剤に対して透過性の材料、例えば不織布や樹脂製ネットから構成されているものを用いている。この状態下に、毛髪挿入具３のフック部１０に所望量の毛髪を通して引っかける。図示するように、フック部１０は毛髪の根元付近に位置させることが、挿入を確実にする点から好ましい。
【００３１】
次に図２（ｂ）に示すように、毛髪保持具２の毛髪取り込み口４付近の位置を一方の手（図示せず）で軽く押さえる。また毛髪保持具２の下端部から引き出されている毛髪挿入具３の把持部９の端部（図示せず）を他方の手（図示せず）で把持し、毛髪挿入具３を毛髪保持具２の外に引き出す。その操作によって、フック部１０に引っかけられていた毛髪が首尾良く毛髪保持具２内に挿入、収納される。毛髪保持具２はその全長が、挿入すべき毛髪の長さよりも長くなっているので、毛髪はその全長に亘って毛髪保持具２内に挿入される。
【００３２】
毛髪が毛髪保持具２内に挿入されたら、図２（ｃ）に示すように、毛髪保持具２の毛髪取り込み口４付近の位置を一方の手（図示せず）で軽く押さえる。この状態下に、毛髪保持具２の外側面に巻き付けられている巻き上げ用糸６の自由端を引っ張る。すると図２（ｄ）に示すように、毛髪は毛髪保持具２と共にスパイラル状に巻き上げられて、小さく纏められる。この状態を保持するために、毛髪保持具２から引き出されている巻き上げ用糸６の根元を、固定手段としてのクリップ１２で係止する。固定手段としては、クリップの他に、（１）毛髪取り込み口４に切り込みを入れ、該切り込みに巻き上げ用糸６を引っかける方法、（２）毛髪保持具２の最上端に位置する毛髪挿通孔（後述する図１５等参照）で返し縫いをする方法、（３）巻き上げ用糸６との摩擦力を高める部材を設ける方法、（４）巻き上げ用糸６に結び目を付ける方法、（５）巻き上げ用糸６として一方向にのみ移動可能な機構（例えばラチェット機構）を有するものを用いる方法などが挙げられる。これらの固定手段のうち、巻き上げ用糸６を引いた状態のまま摩擦力によって当該状態を維持することができる（２）〜（５）の手段を用いることが好ましい。
【００３３】
以上の操作を、パーマネントウエーブ処理を施したい部位全体に対して行う。次いでこの状態下に、毛髪保持具２に向けて第１のパーマネント処理剤（還元剤）を付与する。前述の通り毛髪保持具２はパーマネント処理剤に対して透過性の材料から構成されているので、パーマネント処理剤は毛髪保持具２を透過して毛髪に施される。所定時間放置後、毛髪保持具２に向けて第２のパーマネント処理剤（酸化剤）を付与し、再び所定時間放置する。これによって、毛髪保持具２内に挿入されている毛髪に対して、その巻き上げ形態のパーマネントウエーブがかけられる。その後、巻き上げ用糸６に取り付けられたクリップ１２を外し、毛髪の巻き上げ状態を解除する。引き続き毛髪を毛髪保持具２から取り出し、すすぎ洗いをし、更にシャンプー及びブローをする。
【００３４】
このパーマネントウエーブ処理の別法として、図３に示すように、第１のパーマネント処理剤Ｐを、毛髪保持具２の内面に施しておく方法が挙げられる。この方法によれば、毛髪の巻き上げ後に第１のパーマネント剤を毛髪保持具２の外部から付与する操作を省くことができる。
【００３５】
パーマネントウエーブ処理の更に別法として、前述の操作において、毛髪の毛髪保持具２へ挿入後、その巻き上げ操作を行わない処理方法が挙げられる。この場合には毛髪にストレートパーマがかけられることになる。毛髪を一層ストレートにする観点から、毛髪保持具２を、可撓性はあるものの比較的剛性の高い材料から構成することが好ましい。
【００３６】
以上のパーマネントウエーブ処理によれば、毛髪の巻き上げを極めて簡単に且つ短時間で行うことができる。しかも、パーマネントウエーブ処理後に毛髪の巻き上げ状態を解除する操作を、ヘアカーラを用いた場合よりも、簡単に且つ短時間で行うことができる。
【００３７】
次に、毛髪処理方法の別実施形態として染毛処理を例にとり説明する。この染毛処理については、前述したパーマネントウエーブ処理と異なる点についてのみ説明し、特に説明しない点はパーマネントウエーブ処理と同様である。用いる毛髪処理器具としては、前述したパーマネントウエーブ処理に用いたものと同様のものを用いることができる。但し、本実施形態においては、毛髪保持具２として、染毛剤に対して非透過性の材料、例えば合成樹脂製のフィルムから構成されているものを用いている。
【００３８】
毛髪保持具２への毛髪の挿入操作まで〔図２（ａ）及び図２（ｂ）〕は、前述したパーマネントウエーブ処理と同様である。但し、本処理方法においては、毛髪保持具２内に毛髪を挿入した後に、その下端部に設けられているチャック５を閉じる。次いで図４に示すように、毛髪保持具２の毛髪取り込み口４から染毛剤を供給し、毛髪の全体に行き渡らせる。前述の通り、毛髪保持具２は、染毛剤に対して非透過性の材料から構成されており且つ毛髪保持具２の下端部は閉じられているので、染毛剤が毛髪保持具２の外に漏れ出すことはない。その結果、毛髪保持具２に挿入されている毛髪以外の毛髪が染毛されることが防止される。従って、本毛髪処理方法は、毛髪の部分的な染毛に特に効果的である。また、染毛剤は、毛髪保持具２内に比較的気密状態で存在することになるので、染毛中に染毛剤に含まれている揮発成分が揮発することが防止され、染毛を効率的に行えるという利点もある。
【００３９】
毛髪が毛髪保持具２内に挿入されたら、図２（ｃ）に示す、毛髪の巻き上げ操作を行う。毛髪保持具２への毛髪の挿入及び毛髪の巻き上げは、頭髪の全体でもよく或いは一部分でもよい。次に、図２（ｄ）に示すように、毛髪保持具２から引き出されている巻き上げ用糸６の根元をクリップ１２で係止する。毛髪を巻き上げて小さく纏める理由は、当該毛髪を所望の形状に保持すると同時に、当該毛髪近傍の毛髪を、他の毛髪保持具２内に挿入する操作を行うときの操作性を良好にするためである。
【００４０】
所望により以上の操作を繰り返し、所定時間放置する。その後、巻き上げ用糸６に取り付けたクリップ１２を外し、毛髪の巻き上げ状態を解除する。引き続き毛髪を毛髪保持具２から取り出し、すすぎ洗いをし、更にシャンプー及びブローをする。
【００４１】
この染毛方法の別法として、染毛剤を、毛髪保持具２の内面に施しておく方法が挙げられる（図３参照）。この方法によれば、毛髪の挿入後に染毛剤を毛髪取り込み口４から供給する操作を省くことができる。
【００４２】
毛髪処理法の別の実施形態として、毛髪処理剤としてスタイリング剤などの整髪料を用いた毛髪処理法が挙げられる。この方法においては、濡れた状態又は乾いた状態にある毛髪に整髪料を振りかけ、次いで前述の方法に従い毛髪を毛髪保持具内に挿入し、更に毛髪が挿入された毛髪保持具を巻き上げる。そして、毛髪が乾燥している場合には例えば１時間程度、毛髪が濡れている場合には例えば就寝中ずっと、巻き上げ状態を保持しておくことで、所望のくせ付けが行える。
【００４３】
毛髪処理方法の更に別の実施形態として、巻き上げられた状態の毛髪に対して、所定の加熱手段によって該毛髪を加熱して、くせ付けをする処理方法が挙げられる。詳細には、濡れた状態又は乾いた状態にある毛髪を、図２（ａ）〜図２（ｄ）に示す手順にて、毛髪保持具２と共にスパイラル状に巻き上げ、小さく纏める。この状態下にドライヤなどの加熱手段を用いて毛髪を加熱し、くせ付けをする。この処理方法の別法として、濡れた状態にある毛髪を、図２（ａ）〜図２（ｄ）に示す手順にて、毛髪保持具２と共にスパイラル状に巻き上げ、小さく纏め、この状態下に毛髪を自然乾燥させて、くせ付けをする方法がある。この方法を、例えば洗髪後就寝前に行えば、翌朝には毛髪に所望のくせ付けがされる。
【００４４】
本発明は前記実施形態に加えて以下の実施形態も包含する。例えば、前記実施形態で用いられる毛髪保持具２においては、巻き上げ用糸６を毛髪保持具２の外面に保持するために、２列の挿通孔列８Ａ，８Ｂを形成したが、挿通孔列は一列のみでも良い。
【００４５】
また、前記実施形態においては、毛髪挿入具３のフック部はループ状であったが、これに代えて図５（ａ）及び図５（ｂ）に示すような鉤状のフック部１０を有する毛髪挿入具３を用いてもよい。この場合のフック部１０は、金属やプラスチック製であり変形しないことが、毛髪の確実な挿入の点から好ましい。
【００４６】
また前記実施形態においては、毛髪処理器具１は、毛髪保持具２及び毛髪挿入具３の２部材から構成されていたが、これに代えて、図６に示すように、毛髪保持具２及び毛髪挿入具３に加えて挿入補助具２１の３部材から構成される毛髪処理器具１を用いてもよい。挿入補助具２１は逆円錐体形状をしており、剛性の高い材料から構成されている。特に、毛髪保持具２よりも剛性の高い材料から構成されていることが、毛髪の挿入性の向上の点から好適である。挿入補助具２１には、該挿入補助具２１をその長さ方向に貫き且つ入口２２Ａ及び出口２２Ｂを有する貫通路２２Ｃが形成されている。貫通路２２Ｃは入口２２Ａから前記出口２２Ｂに向けて漸次縮径している。入口２２Ａの径は、毛髪保持具２における最細部の径よりも小さくなっている。毛髪挿入具３の把持部９は、挿入補助具２１の貫通路２２Ｃを入口２２Ａから出口２２Ｂに向けて貫通している。貫通した把持部９は、更に毛髪保持具２の毛髪取り込み口４に挿通されている。本実施形態の毛髪処理器具１によれば、毛髪保持具２の毛髪取り込み口４の剛性が低い場合であっても毛髪の挿入性が向上するいう利点がある。また、毛髪挿入具３を用いて毛髪を毛髪保持具２内に挿入するときに、挿入補助具２１が、比較的扁平になりがちである毛髪保持具２を円筒状に膨らませるので、これによっても毛髪の挿入性が向上するという利点がある。尚、挿入補助具２１は、逆円錐体形状の他に、逆角錐体形状などの各種逆錐体形状とすることができる。
【００４７】
図６に示す実施形態の毛髪処理器具１の変形例として、挿入補助具２１の入口２２Ａの径が、毛髪保持具２の毛髪取り込み口４の径よりも大きくなっている実施形態が挙げられる。この場合には、毛髪挿入具３を用いて毛髪を毛髪保持具２内に挿入するときに、挿入補助具２１は、毛髪取り込み口４によって毛髪保持具２内に挿入されることが規制されて、毛髪取り込み口４の部分に留まることになる。この場合においても、挿入補助具２１によって毛髪の挿入性が向上するいう利点がある。
【００４８】
図６に示す実施形態の毛髪処理器具１の更に別の変形例として、図７（ａ）に示す挿入補助具２３を用いた実施形態が挙げられる。図７（ａ）に示す挿入補助具２３は、プラスチック製であり、上下端が開口した細長い扁平な形状をしている。挿入補助具２３は、横断面が楕円形であり、上下端が開口している筒状部２３Ａと、該筒状部２３Ａの下端開口に連設され且つ先端に向かうに連れ漸次先細りとなっているテーパー部２３Ｂとから構成されている。テーパー部２３Ｂの先端、つまり挿入補助具２１の下端は開口している。筒状部２３Ａの長さ、横断面形状及び横断面積は、挿入補助具２３を毛髪保持具２内に挿入したときに、図７（ｂ）に示すように、筒状部２３Ａの外面の摩擦力によって毛髪保持具２が挿入補助具２３に固定されるような長さ、形状及び／又は面積とする。これによって、毛髪処理器具の使用時に、挿入補助具２３によって毛髪保持具２が固定され、挿入補助具２３さえ手で持っていれば、毛髪保持具２を手で持たなくてもこれが落下しなくなり、毛髪の挿入操作が一層容易となる。また、筒状部２３Ａが存在することによって、毛髪の挿入性が一層向上する。
【００４９】
また毛髪保持具２として、図８〜図１７に示すものを用いることもできる。尚、図８〜図１４及び図１７においては、簡便のため、毛髪挿入具の図示を省略してある。また、図８〜図１７に示す実施形態において特に説明しない点については、前述の実施形態に関する説明が適宜適用される。図８（ａ）〜図８（ｃ）に示す毛髪保持具２は、これを正面から視たときに、その長手方向に沿って所定間隔をおいて形成された第１の挿通孔列８Ａと、該第１の挿通孔列８Ａの各挿通孔と対向する位置に形成された第２の挿通孔列８Ｂとを有している。本実施形態における挿通孔は、図１に示す毛髪保持具における挿通孔と異なり、各挿通孔は１個の小孔から成っている。巻き上げ用糸６は、その一端が、第１の挿通孔列８Ａにおける毛髪保持具２の下端部に最も近い挿通孔７（この挿通孔を、第１列下端挿通孔という）の位置において引き抜かれないようになされている。具体的には、巻き上げ用糸６の一端を、第１列下端挿通孔の付近で毛髪保持具２に固定することで、その引き抜きを防止している。
【００５０】
巻き上げ用糸６の他端は、第１列下端挿通孔に対応する第２の挿通孔列８Ｂの挿通孔を挿通している。更に巻き上げ用糸６の他端は、毛髪保持具２の下端部よりも下側（外側）を通って第１列下端挿通孔の直上に位置する挿通孔を、第１の挿通孔列８Ａ及び第２の挿通孔列８Ｂの順に挿通している。以降この挿通が順次所望の回数繰り返される。そして最後に、巻き上げ用糸６の他端は、第２の挿通孔列８Ｂの挿通孔７を挿通している。
【００５１】
本実施形態の毛髪保持具２を具備する毛髪処理器具を用いた毛髪処理方法においては、毛髪挿入具を用いて毛髪保持具２内に毛髪を挿入した後、毛髪処理剤を施す前又は施した後に、毛髪保持具２に取り付けられている巻き上げ用糸６の自由端を引っ張る。この引っ張りによって、図８（ｃ）に示すように、毛髪保持具２は毛髪（図示せず）と共に、巻き上げ用糸６の引っ張り方向に、つまり毛髪保持具２の下端部から毛髪取り込み口４に向けてロール状に巻き上げられる。そして、その巻き上げ状態を保持するために、毛髪保持具２から引き出されている巻き上げ用糸６の根元をクリップ（図示せず）で係止する。
【００５２】
本実施形態によれば、ヘアカーラを用いた毛髪の巻き上げ形態と同様の巻き上げ形態を実現することができるので、美容院で通常行われているヘアカーラを用いた毛髪の巻き上げ操作が不要となる。尚、図８（ａ）〜図８（ｃ）に示す実施形態においては、巻き上げ用糸６を１本用いたが、２本用いてもよい。巻き上げ用糸を２本用いることで、巻き上げ操作を一層容易に且つ確実に行うことができる。その場合には、毛髪保持具２を正面から視たときに、長手方向の両側部に、各１本ずつの巻き上げ用糸を前述の手順で挿通すればよい。
【００５３】
図９（ａ）及び図９（ｂ）に示す毛髪保持具２では、該毛髪保持具２の長手方向に伸びる巻き上げ用糸６が、ぐし縫い状に毛髪保持具２を貫通するように取り付けられている。詳細には、毛髪保持具２を正面から視たときに、巻き上げ用糸６が、毛髪保持具２の正面側と背面側とを交互に通過するように、毛髪保持具２に取り付けられている。巻き上げ用糸６は、毛髪保持具２の最下端に位置する挿通孔７の位置において引き抜かれないようになされている。具体的には、巻き上げ用糸６の一端を、毛髪保持具２の下端部付近で毛髪保持具２に固定することで、その引き抜きを防止している。一方、毛髪取り込み口４に最も近い位置にある挿入孔７においては、巻き上げ用糸６が自由状態となっている。図示していない毛髪挿入具における把持部は、毛髪保持具２内にストレートに挿入されている。
【００５４】
本実施形態の毛髪保持具２を具備する毛髪処理器具を用いた毛髪処理方法においては、毛髪保持具２に取り付けられている巻き上げ用糸６の自由端を引っ張る。すると、毛髪保持具２は毛髪（図示せず）と共に蛇腹状に折り畳まれ、毛髪は略ジグザグ形に屈曲される。そして、その屈曲状態を保持するために、毛髪保持具２から引き出されている巻き上げ用糸６の根元をクリップ（図示せず）で係止する。
【００５５】
毛髪挿入具３における把持部が図９（ｃ）に示すように、毛髪保持具２内を通過する巻き上げ用糸６の間を縫うように蛇行して挿通されている場合には、毛髪の挿入後、巻き上げ用糸６の自由端を引っ張ることで、毛髪保持具２は蛇腹状ではなく、スパイラル状に巻き上げられる。
【００５６】
図１０（ａ）及び図１０（ｂ）に示す毛髪保持具２は、図１０（ａ）に示すようにこれを扁平にした状態で、巻き上げ用糸６が、毛髪保持具２の長手方向に沿ってジグザグ形状の軌跡を描いている。このジグザグ形状の軌跡は、左上がりとなっている第１の軌跡６Ａと、右上がりとなっている第２の軌跡６Ｂとが交互に配置されて構成されている。そして、第１の軌跡６Ａを描く巻き上げ用糸６が、扁平な状態となっている毛髪保持具２における表面側に位置し、且つ第２の軌跡６Ｂを描く巻き上げ用糸６が、裏面側に位置している。第１の軌跡６Ａはその両端部において毛髪保持具２の裏面へ向けて貫通しており、第２の軌跡６Ｂの端部に接続している。一方、第２の軌跡６Ｂはその両端部において毛髪保持具２の表面へ向けて貫通しており、第１の軌跡６Ａの端部に接続している。この扁平な状態の毛髪保持具２を図１０（ｂ）に示すように円筒状に立体化すると、巻き上げ用糸６は、毛髪保持具２の外面に沿ってほぼスパイラル状に巻き付けられた状態となる。但し、巻き上げ用糸６が毛髪保持具２を貫通するときには、巻き上げ用糸６は毛髪保持具２の内部を通過する。
【００５７】
この毛髪保持具２を用いる場合には、毛髪挿入具（図示せず）を巻き上げ用糸６によって形成されたスパイラルの内部に通しておく。そして、前述の方法に従い毛髪を挿入すると、図１０（ｂ）に示すように、毛髪Ｈは、巻き上げ用糸６によって形成されたスパイラルの内部に通される。この状態下に巻き上げ用糸６を引くと、該巻き上げ用糸６を引く方向を視線の軸として見た場合に、毛髪は三角形や六角形などの多角形の形状に巻き上げられる。どのような形状の多角形に巻き上げられるかは、図１０（ａ）に示す第１の軌跡６Ａ及び第２の軌跡６Ｂの角度並びに毛髪保持具２に巻き上げ用糸６を取り付けた部分の幅寸法によって決定される。
【００５８】
図１１（ａ）及び図１１（ｂ）に示す実施形態の毛髪保持具２は、巻き上げ用糸の通し方が図１０（ａ）及び図１０（ｂ）と同じである。両者が異なる点は、図１０（ａ）及び図１０（ｂ）においては、毛髪保持具の縦中心線に対称に巻き上げ用糸が通されていたのに対して、本実施形態の毛髪保持具２においては、毛髪保持具２の縦中心線に対して横方向右側へ偏倚した位置に巻き上げ用糸６が通されている点である。この扁平な状態の毛髪保持具２を図１１（ｂ）に示すように円筒状に立体化すると、巻き上げ用糸６は、毛髪保持具２の縦半分の外面に沿ってほぼスパイラル状に巻き付けられた状態となる。但し、巻き上げ用糸６が毛髪保持具２を貫通するときには、巻き上げ用糸６は毛髪保持具２の内部を通過する。
【００５９】
この毛髪保持具２を用いる場合には、毛髪挿入具（図示せず）を、毛髪保持具２における巻き上げ用糸６が通っていない部位、つまり、毛髪保持具２の縦中心線に対して横方向左側へ偏倚した位置に通す。そして、前述の方法に従い毛髪を挿入すると、図１１（ｂ）に示すように、毛髪Ｈは、巻き上げ用糸６によって形成されたスパイラルに隣接して該スパイラルの外側を通される。この状態下に巻き上げ用糸６を引くと、該巻き上げ用糸６を引く方向を視線の軸として見た場合に、毛髪は円形に巻き上げられる。また図１１（ａ）に示す第１の軌跡６Ａ及び第２の軌跡６Ｂの角度によっては、毛髪は三角形や六角形などの多角形の形状に巻き上げられることもある。本実施形態の毛髪保持具を用いると、ロッドを用いて毛髪を巻き上げた場合と同様のくせ付けができるという利点がある。
【００６０】
本実施形態の毛髪保持具２においては、巻き上げ用糸６が通っている部位、つまり毛髪保持具２の縦中心線に対して横方向右側へ偏倚した部位を、巻き上げ用糸６が通っていない部位、つまり毛髪保持具２の縦中心線に対して横方向左側へ偏倚した部位に比べて硬めに形成してもよい。これによって巻き上げ操作を一層円滑に行うことができる。同様の理由により、巻き上げ用糸６が通っていない部位、つまり毛髪保持具２の縦中心線に対して横方向左側へ偏倚した部位を伸縮性の材料から構成してもよい。
【００６１】
図１２（ａ）及び図１２（ｂ）に示す毛髪保持具２は、図１２（ａ）に示すように、これを扁平にした状態で、巻き上げ用糸６が、毛髪保持具２の長手方向に沿ってジグザグ形状の軌跡を描いている。このジグザグ形状の軌跡の軌跡は、左上がりとなっている第１の軌跡６Ａ’と右上がりとなっている第２の軌跡６Ｂ’とが交互に配置されて構成されている。そして、第１の軌跡６Ａ’を描く巻き上げ用糸６が、扁平な状態となっている毛髪保持具２における裏面側に位置し、且つ第２の軌跡６Ｂ’を描く巻き上げ用糸６が、表面側に位置している。
【００６２】
第１の軌跡６Ａ’はその下側の端部において毛髪保持具２の表面へ向けて貫通しており、第２の軌跡６Ｂ’の上側の端部に接続している。また、第１の軌跡６Ａ’はその上側の端部において毛髪保持具２の一側縁のやや外側の位置で、第２の軌跡６Ｂ’の下側の端部に接続している。一方、第２の軌跡６Ｂ’はその上側の端部において毛髪保持具の裏面へ向けて貫通しており、第１の軌跡６Ａ’の下側の端部に接続している。また第２の軌跡６Ｂ’はその下側の端部において毛髪保持具２の一側縁のやや外側の位置で、第１の軌跡６Ａ’の下側の端部に接続している。
【００６３】
この扁平な状態の毛髪保持具２を図１２（ｂ）に示すように円筒状に立体化すると、巻き上げ用糸６は、毛髪保持具２の外面に沿ってほぼスパイラル状に巻き付けられた状態となる。但し、巻き上げ用糸６が毛髪保持具２を貫通するときには、巻き上げ用糸６は毛髪保持具２の内部を通過する。この毛髪保持具２を用いる場合には、毛髪挿入具（図示せず）を巻き上げ用糸６によって形成されたスパイラルの内部に通しておく。そして、前述の方法に従い毛髪を挿入すると、図１２（ｂ）に示すように、毛髪Ｈは、巻き上げ用糸６によって形成されたスパイラルの内部に通される。この状態下に巻き上げ用糸６を引くと、先に述べた図８（ｃ）と同様の巻き上げ形態となる。本実施形態の毛髪保持具を用いると、ロッドを用いて毛髪を巻き上げた場合と同様のくせ付けができるという利点がある。
【００６４】
図１３（ａ）〜図１３（ｃ）に示す毛髪保持具２は、第１の帯状シート１３Ａ及び第２の帯状シート１３Ｂの２枚の帯状シートを重ね合わせ、両側部を互いに接合して筒状に形成されている。２枚の帯状シートは同形になっている。２枚の帯状シートのうち、第１の帯状シート１３Ａは熱収縮性を有している。他方の帯状シートである第２の帯状シート１３Ｂは熱収縮性を有していない。本実施形態の毛髪保持具２を具備する毛髪処理器具を用いた毛髪処理方法においては、毛髪挿入具を用いて毛髪保持具２内に毛髪を挿入した後、毛髪処理剤を施す前又は施した後に、図１３（ｂ）に示すように毛髪保持具２に熱を付与する。熱の付与手段としては、例えばヘアドライヤを用いることが簡便である。熱の付与によって、毛髪保持具２を構成する一方のシートである第１の帯状シート１３Ａが熱収縮する。しかし、他方のシートである第２の帯状シート１３Ｂは熱収縮しない。その結果、両シート間で収縮に差が生じ、図１３（ｃ）に示すように、毛髪保持具２はそれに挿入されている毛髪と共に、第１の帯状シート１３Ａ側を内側としてロール状に巻き上げられる。この巻き上げ形態は、毛髪保持具２への熱の付与を止めた後も保持される。従って、前述した各実施形態の毛髪保持具と異なり、本実施形態の毛髪保持具には、巻き上げ形態を保持するための手段が不要であるという利点がある。尚、本実施形態においては２枚の帯状シートから筒状の毛髪保持具２を形成したが、これに代えて３枚以上の複数の帯状シートを用い、各帯状シートの長手方向側部を互いに接合して筒状の毛髪保持具を形成してもよい。そして、各帯状シートのうちの少なくとも１枚の帯状シートとして熱収縮性シートを用い、その他の帯状シートとして熱収縮性を有していないシートを用いる。この場合、熱収縮性シートが、毛髪保持具の巻き上げ手段となる。
【００６５】
図１４に示す毛髪保持具２は、縦長の帯状シートを筒状に形成したものである。そして、これをロール状に巻き上げた状態で、該状態が保持されるように、所定の手段によってくせ付けをする。これによって、毛髪保持具２は、これをその長手方向に引き伸ばした状態にして、その状態から解放すると、ロール状に巻き上げられた状態へと自発的に巻き上げられる。毛髪保持具２にくせ付けをするためには、帯状シートの構成材料として所定の形状に形成された弾性変形可能な材料を用いることが簡便である。該弾性変形可能な材料としては、ポリエチレンテレフタレート、ポリプロピレン、ポリスチレン、ポリアクリロニトリルなどが挙げられる。これらの弾性変形可能な材料を用いて毛髪保持具２にロール状のくせ付けをするには、毛髪保持具２をロール状に巻き上げ、所定の手段によってその巻き上げ形態を保持し、その状態下に毛髪保持具２を所定温度に加熱すればよい。本実施形態の毛髪保持具２を具備する毛髪処理器具を用いた毛髪処理方法においては、毛髪挿入具を用いて毛髪保持具２内に毛髪を挿入した後、引き伸ばした状態にある毛髪保持具２の引き伸ばし状態を解除すれば、毛髪保持具２は自発的に巻き上げられる。従って、本実施形態の毛髪保持具は巻き上げ操作が全く不要である。その上、本実施形態の毛髪保持具は、図１３（ａ）〜図１３（ｃ）に示す実施形態の毛髪保持具と同様に巻き上げ形態を保持するための手段が不要であるという利点もある。尚、本実施形態においては、巻き上げ形態としてロール状の形態を例示したが、この他に、目的に応じ、蛇腹状、ジグザグ状、スパイラル状などの種々の形態とすることができる。
【００６６】
図１５及び図１６に示す実施形態の毛髪処理器具１は、これまでに述べた毛髪処理器具と異なり、毛髪保持具が筒状となっていない。詳細には、図１５に示す毛髪処理器具１においては、毛髪保持具２が、短冊状の一枚のシート１６からなると共に該毛髪保持具２の巻き上げ手段としての巻き上げ用糸６を備えている。短冊状のシート１６には、長手方向に延びる中心線に沿って、毛髪取り込み口４としての毛髪挿通孔１７が所定間隔を置いて複数形成されている。毛髪挿入孔７の周囲は、プラスチック板や厚紙の貼り付けによって、毛髪保持具２における他の部位よりも固く形成されている。毛髪保持具２が熱可塑性樹脂製の不織布からなる場合には、毛髪挿入孔１７の周囲を加熱し溶融固化させる処理によって該孔の周囲を固く形成することができる。また短冊状のシート１６は、その長手方向一側縁部に沿って所定間隔を置いて形成された複数の挿通孔７Ａからなる第１の挿通孔列８Ａと、他側縁部に沿って所定間隔を置いて形成された複数の挿通孔７Ｂからなる第２の挿通孔列８Ｂとを有している。シート１６の長手方向に関して、第２の挿通孔列８Ｂにおける各挿通孔７Ｂは、第１の挿通孔列８Ａにおける各挿通孔７Ａ間に位置している。具体的には、挿通孔７Ｂは、隣り合う挿通孔７Ａ間の中間に位置している。巻き上げ用糸６は、その一端が、第１の挿通孔列８Ａにおける毛髪保持具２の下端部に最も近い挿通孔７Ａの位置で固定されていると共にその他端は、該挿通孔７Ａを起点として、第２の挿通孔列８Ｂの挿通孔７Ｂと第１の挿通孔列８Ａの挿通孔７Ａとをこの順で前記下端部側から順次挿通し、最後に第２の挿通孔列８Ｂの挿通孔７Ｂを挿通している。これによって巻き上げ用糸６は、短冊状のシート１６の表裏に交互に配されていると共に毛髪保持具２の長手方向に延びる三角波形の軌跡を描いている。
【００６７】
一方、毛髪処理器具１における毛髪挿入具３は、その把持部９が、ぐし縫い状に短冊状のシート１６を貫通するように、該短冊状のシート１６に取り付けられている。詳細には、毛髪挿入具３の把持部９が、短冊状のシート１６の表裏に交互に配されるように隣り合う毛髪挿入孔１７を挿通している。
【００６８】
本実施形態の毛髪処理器具１を用いた毛髪処理方法においては、毛髪挿入具３におけるフック部１０に毛髪を引っかけ、次いで把持部９を引っ張ることで、毛髪が、短冊状のシート１６の表裏に交互に配されるように隣り合う毛髪挿入孔１７を挿通される。この状態下に、毛髪保持具２に取り付けられている巻き上げ用糸６の自由端を引っ張る。その結果、毛髪保持具２は、毛髪と共にスパイラル状ないし蛇腹状に巻き上げられる。そして、その巻き上げ状態を保持するために、毛髪保持具２から引き出されている巻き上げ用糸６の根元をクリップ（図示せず）で係止する。
【００６９】
図１６に示す毛髪処理器具１においては、毛髪保持具２が、何れも細帯状である第１のシート１８Ａと第２のシート１８Ｂとから構成されている。両シート１８Ａ，１８Ｂは、その長手方向に亘って所定間隔を置いて接合されている。この接合によって、接合部１９と、毛髪取り込み口４としての環状の毛髪挿通部２０とが交互に形成されている。各接合部１９にはそれぞれ挿通孔７が形成されている。毛髪挿通部２０を構成する環状部は、プラスチック板や厚紙の貼り付けによって、毛髪保持具２における他の部位よりも固く形成されている。また毛髪保持具２は、巻き上げ手段としての巻き上げ用糸６を備えている。そして巻き上げ用糸６は、第１のシート１８Ａ側と第２のシート１８Ｂ側とに交互に配されるように隣り合う挿通孔１９を挿通している。巻き上げ用糸６の一端は、毛髪保持具２の下端部に位置する挿通孔の位置で固定されている。一方、巻き上げ用糸６の他端は、毛髪保持具２の上端部に位置する挿通孔１９に挿通され、自由端となっている。
【００７０】
一方、毛髪処理器具１における毛髪挿入具３は、その把持部９が、隣り合う毛髪挿通部２０をぐし縫い状に挿通している
【００７１】
本実施形態の毛髪処理器具１を用いた毛髪処理方法においては、毛髪挿入具３におけるフック部１０に毛髪を引っかけ、次いで把持部９を引っ張ることで、毛髪が、毛髪保持具２における隣り合う毛髪挿通部２０をぐし縫い状に挿通される。この状態下に、毛髪保持具２に取り付けられている巻き上げ用糸６の自由端を引っ張る。その結果、毛髪保持具２は、毛髪と共に蛇腹状に折り畳まれ、毛髪は略ジグザグ形又はスパイラル形に屈曲される。そして、その屈曲状態を保持するために、毛髪保持具２から引き出されている巻き上げ用糸６の根元をクリップ（図示せず）で係止する。
【００７２】
図１７（ａ）及び図１７（ｂ）に示す実施形態の毛髪保持具２は、該毛髪保持具２の巻き上げ状態を保持するための手段を備えるものである。尚、図１７（ａ）及び図１７（ｂ）においては、簡便のため毛髪挿入具及び巻き上げ手段の図示を省略してある。この毛髪保持具２は、一面（正面）及びこれと反対側に位置する他面（裏面）を有している。正面には、毛髪保持具２を所定の形状に巻き上げ、湾曲又は屈曲させて該正面と該裏面とを当接させたときに、該正面と該裏面とが接合して該所定の形状を保持し得る接合部が設けられている。具体的には、図１７（ａ）に示すように、毛髪保持具２を正面から視たときに、その正面側に、縦中心線に沿って係合手段１４が設けられている。一方、毛髪保持具２の裏面側において、係合手段１４と対向する位置に、該係合手段１４と係合する被係合手段１５が設けられている。係合手段１４及び被係合手段１５は、何れも毛髪保持具２の長手方向に延びている。係合手段１４及び被係合手段１５としては、面ファスナのフック部材及びループ部材が典型的な例として挙げられる。この係合手段１４は、毛髪保持具２の正面側を内側にして該毛髪保持具２をロール状に巻き上げたときに、毛髪保持具２の正面と裏面とが接合して該ロール状の形状を保持し得る接合部として機能する。詳細には、図示しない毛髪挿入具を用いて毛髪保持具２内に毛髪を挿入した後、巻き上げ手段（図示せず）によって、下端部から毛髪取り込み口に向かって毛髪保持具２を巻き上げる。すると、図１７（ｂ）に示すように、前記正面側に設けられている係合手段１４が、前記裏面側に設けられている被係合手段１５と当接し両者が係合する。つまり、毛髪保持具２の正面と裏面とが接合する。その結果、毛髪保持具２は、その巻き上げ状態が保持される。
【００７３】
図１７（ａ）及び図１７（ｂ）に示す実施形態の変形例として、前述の係合手段１４及び被係合手段１５に代えて、それぞれ自己接着性テープ〔例えば仁礼工業製のふしぎテープ（商品名）〕を用いることもできる。更に別の変形例として、毛髪保持具２の内面に、両面粘着テープを長手方向に沿って貼着した形態のものがある。即ち、この変形例は、図１７（ａ）及び図１７（ｂ）に示す実施形態の毛髪保持具において、係合手段１４に代えて両面粘着テープを用い且つ被係合手段１５を設けない形態のものである。そして両面粘着テープは、毛髪保持具２の正面と裏面と接合部として機能する。この変形例によれば、被係合部材１５を設けない分だけ、図１７（ａ）及び図１７（ｂ）に示す実施形態の毛髪保持具よりも材料を削減することができる。尚、本実施形態は、毛髪保持具２をロール状に巻き上げた例であるが、これに代えて毛髪保持具２を湾曲又は屈曲させて他の形状としても同様の効果が奏される。また本実施形態では、毛髪保持具２の正面と裏面とを接合したが、これに代えて正面同士を接合して所定の形状となしてもよい。
【００７４】
以上の説明から明らかなように、本発明における毛髪保持具としては、細長筒形状のものや、閉じた開孔が長手方向に間欠的に複数設けられたものが好ましく用いられる。これによって、毛髪を確実に取り込んで保持することができ、また巻き上げた時にも毛髪の乱れを生じさせずに、きれいな巻き上げ形態を安定に維持することが可能となる。
【００７５】
図１〜図１７に示す実施形態の毛髪処理器具においては、毛髪の処理方法によっては巻き上げ手段を具備していなくてもよい場合がある。例えば前述したストレートパーマをかける場合である。巻き上げ手段を具備していない毛髪処理器具としては例えば、図１に示す実施形態に対応する実施形態のものとして、
一端部に毛髪取り込み口を有する細長形状の可撓性材料からなる毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、前記毛髪取り込み口及びその近傍の部位が、前記毛髪保持具における他の部位よりも高剛性となされている毛髪処理器具や、
一端部に毛髪取り込み口を有する細長形状の毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、前記毛髪挿入具における前記フック部はループ形状であってその周長が前記毛髪取り込み口の周長よりも大きくなされていると共に該フック部が変形可能になされている毛髪処理器具が挙げられる。
【００７６】
また図６に示す実施形態に対応する実施形態のものとして、
一端部に毛髪取り込み口を有する細長形状の毛髪保持具と、細長形状の把持部及び該把持部の先端に取り付けられた毛髪のフック部を有する毛髪挿入具とを具備し、前記毛髪挿入具がそのフック部を前記毛髪保持具の毛髪取り込み口側に向けて且つその把持部が前記毛髪取り込み口に挿通されて前記毛髪保持具に保持された状態で使用される毛髪処理器具であって、
前記毛髪処理器具は、挿入補助具を更に具備し、該挿入補助具には、該挿入補助具をその長さ方向に貫き且つ入口及び出口を有する貫通路が形成されており、該貫通路は前記入口から前記出口に向けて先細りとなっており、
前記毛髪挿入具の把持部が、前記挿入補助具の貫通路を前記入口から前記出口に向けて貫通し、更に前記毛髪保持具の毛髪取り込み口に挿通されている毛髪処理器具が挙げられる。
【００７７】
更に、図１７示す実施形態に対応する実施形態のものとして、
一端部に毛髪取り込み口を有する細長形状の可撓性材料からなる毛髪保持具と、先端に毛髪のフック部を有する毛髪挿入具とを具備し、前記毛髪挿入具がそのフック部を前記毛髪保持具の毛髪取り込み口側に向けて前記毛髪保持具に保持された状態で使用される毛髪処理器具であって、
前記毛髪保持具は、一面及びこれと反対側に位置する他面を有し、該一面には、該毛髪保持具を所定の形状に巻き上げ、湾曲又は屈曲させて該一面と該他面とを当接させたときに、該一面と該他面とが接合、又は該一面同士が接合して該所定の形状を保持し得る接合部が設けられている毛髪処理器具が挙げられる。
【００７８】
これら巻き上げ手段を具備していない毛髪処理器具を用いた毛髪処理方法としては、
前記毛髪処理器具における前記フック部に所望量の毛髪を引っかけ、この状態下に前記毛髪挿入具を前記毛髪保持具における一端部である前記毛髪取り込み口から他端部に向かって引き抜いて前記毛髪を前記毛髪保持具内に挿入し、次いで毛髪処理剤を前記毛髪取り込み口から前記毛髪保持具内に供給するか、又は毛髪処理剤を前記毛髪保持具に向けて付与する毛髪処理方法が挙げられる。
【００７９】
図１８〜図２２は、毛髪保持具の更に別の実施形態を示す模式図である。これらの図においては、簡便のため、毛髪挿入具及び巻き上げ手段の図示を省略してある。図１８に示す毛髪保持具２００は、一端の開口部２２１から他端の開口部２２２に向けて毛髪束を挿通可能に、シート２２３により構成された筒状体２１２からなり、該筒状体２１２は、その長手方向に実質的に伸縮性を有しておらず、また、該筒状体２１２における横断面の全周部分のシート２２３は、該筒状体２１２の長手方向全長に亘って、テーバーこわさが０．４ｍＮ・ｍ以下である。
【００８０】
毛髪保持具２００においては、前記筒状体２１２は、その横断面形状がそれぞれ直線状の二面を結合してなる扁平形状である。尚、図１８においては、筒状体２１２を、便宜上、その開口部が弓形状の二面を結合してなる扁平形状に開口した状態で図示している。毛髪保持具２００においては、前記二面は、何れも前記テーバーこわさが０．４ｍＮ・ｍ以下であり、好ましくは０．３ｍＮ・ｍ以下である。シート２２３のテーバーこわさが０．４ｍＮ・ｍ超であると、筒状体２１２に毛髪束を挿通して巻回した場合に、筒状体２１２を円滑に巻回することができず、毛髪束に綺麗なカールを付与することができない。「テーバーこわさ」は、ＪＩＳＰ８１２５に規定される「こわさ試験方法」により測定される。
【００８１】
毛髪保持具２００においては、筒状体２１２は、前述したように、その長手方向（図１８における上下方向）に実質的に伸縮性を有していない。筒状体２１２が長手方向に伸縮性を有していると、保持具の寸法が容易に変化し、筒状部２１２に毛髪束を挿通する際又は挿通状態において、いわゆる逆毛になったり、毛先に不規則なくせが付き易い。「筒状体の長手方向に実質的に伸縮性を有していない」とは、長手方向に伸縮性を有していないが、筒状体が弾性変形の範囲内で且つ逆毛が生じない程度の伸び量を示しても良いことを意味する。
【００８２】
毛髪保持具２００においては、前記筒状体２１２は、一枚の矩形状のシート２２３を、その長手方向に沿って二つ折りし、その長手方向に沿う側端部２２４，２２４同士を接合させて形成されている。筒状体２１２の大きさは、毛髪の長さやくせ付けしたい場所、挿入する毛髪束の量に応じて適宜選択できる。
【００８３】
筒状体２１２を構成するテーバーこわさが０．４ｍＮ・ｍ以下のシート２２３としては、各種可撓性材料が用いられ、例えば、不織布（ポリエチレン不織布、ポリエチレンテレフタレート不織布等）、織布、多孔性又は非多孔性の樹脂フィルム（ポリエチレンフィルム、ポリエチレンテレフタレートフィルム等）、紙、高分子材料シート、ゴムシート、樹脂ネット、又はこれらの複合体等が挙げられる。本実施形態においては、テーバーこわさが０．４ｍＮ・ｍ以下で且つパーマ用の毛髪処理剤に対して透過性を有する不織布が用いられている。シート２２３の厚みは、テーバーこわさが０．４ｍＮ・ｍ以下であれば、特に限定されないが、好ましくは５μｍ〜５００μｍである。シートのテーバーこわさ及び厚みは、シート全体で均一の方が好ましい。
【００８４】
図１９にそれぞれ示すテーバーこわさ値を有する各種可撓性材料（１）〜（５）を用いて形成された筒状体についての評価結果を図１９に示す。本評価に用いた筒状体は、何れも前述の毛髪保持具２００における筒状体と同様の構成に形成されたものである。テーバーこわさが０．４ｍＮ／ｍ以下である、（１）のポリエチレン（ＰＥ）不織布、（２）の低密度ポリエチレン（ＬＰＤＥ）フィルム又は（３）のポリエチレンテレフタレート（ＰＥＴ）不織布からそれぞれ形成された筒状体によれば、毛髪束をきれいな円形に巻回することができた。一方、テーバーこわさが０．４ｍＮ／ｍ超である、（４）のＰＥＴ不織布又は（５）のコピー用紙からそれぞれ形成された筒状体によれば、毛髪束を円形に巻回することができない。他に、テーバーこわさが０．４ｍＮ／ｍ以下である、ラテックス製の手袋、ストッキング（二枚重ね）及びお土産用のみかん用のネットからそれぞれ形成された筒状体も、可撓性材料（１）〜（３）から形成された筒状体と同様の評価が得られた。
【００８５】
本実施形態の毛髪保持具２００を用いて毛髪束を巻回する場合、本実施形態の毛髪保持具２００においては、筒状体２１２を構成するシート２２３が所定のテーバーこわさを有しているため、毛髪束を挿通した筒状体２１２をいびつな形状にさせずに円滑に巻回することができ、また、筒状体２１２が実質的に伸縮性を有していないため、筒状体２１２に毛髪束を挿通する際又は挿通状態において筒状体２１２が伸長せず、逆毛や毛先の不規則なくせが生じ難い。そのため、本実施形態の毛髪保持具２００によれば、毛髪に、容易且つ確実に綺麗なカールを付与することができる。
【００８６】
図２０に示す毛髪保持具２００は、筒状体２１２が、二枚の矩形状のシート２２３Ａ，２２３Ｂを、その長手方向に沿う側端部２２４，２２４同士を接合させて形成されており、一方の該シート２２３Ａのテーバーこわさが０．４ｍＮ・ｍ以下である。一方のシート２２３Ａのテーバーこわさが０．４ｍＮ・ｍ以下であれば、他方のシート２２３Ｂのテーバーこわさは、０．４ｍＮ・ｍ以下でも０．４ｍＮ・ｍ超でもよい。テーバーこわさが０．４ｍＮ・ｍ超の場合、好ましくは、テーバーこわさは２０ｍＮ・ｍ以下である。本実施形態においては、他方のシート２２３Ｂとして、テーバーこわさが２〜５ｍＮ・ｍのものを用いている。
【００８７】
図２０に示す実施形態の毛髪保持具２００によれば、図１８に示す実施形態の毛髪保持具と同様に、毛髪に容易且つ確実に綺麗なカールを付与することができる。本実施形態の毛髪保持具２００を用いて毛髪束を巻回する場合、テーバーこわさの低いシート２２３Ａを内側にする方がよい。筒状体全体としては伸縮せず、シート自体が伸縮性を有するシートからなる筒状体の場合は、どちらを内側にしてもよい。
【００８８】
図２１に示す実施形態の毛髪保持具２００は、筒状体２１２が、一枚の伸縮性を有する矩形状のシート２２３を、その長手方向に沿って二つ折りし、その長手方向に沿う側端部２２４，２２４同士を接合させて形成されており、接合された該側端部２２４の部分が、伸縮性を有していない。シート２２３は、長手方向全長に亘ってテーバーこわさが０．４ｍＮ・ｍ以下となっている。シート２２３は、格子状の網目構造を有しており、この網目構造により伸縮性を実現している。そして、筒状体２１２においては、シート２２３の網目が筒状体２１２の長手方向に対し斜行して配置しているが、前述のように、側端部２２４の部分は、伸縮性を有していないため、筒状体２１２全体としては、実質的に伸縮性を有していない。本実施形態の毛髪保持具２００においては、筒状体２１２は、その短手方向（図２１における左右方向）に伸縮性を有している。筒状体２１２が短手方向に伸縮性を有していると、筒状部２１２の開口部２２１に毛髪束を挿入する際に該開口部２２１が拡がり易く、毛髪束を挿入し易い。本実施形態の毛髪保持具２００によれば、図１８に示す実施形態の毛髪保持具と同様に、毛髪に容易且つ確実に綺麗なカールを付与することができる。
【００８９】
図２２に示す実施形態の毛髪保持具２００は、筒状体２１２が、格子状の網目構造からなる矩形状のシート２２３Ａと、網目や孔が形成されていない矩形状のシート２２３Ｂとを、その長手方向に沿う側端部２２４，２２４同士を接合させて形成されている。シート２２３Ａは長手方向に伸縮性を有しているが、シート２２３Ｂは長手方向に実質的に伸縮性を有しておらず、そのため、筒状体２１２全体としては、実質的に伸縮性を有していない。また、シート２２３Ａは長手方向全長に亘ってテーバーこわさが０．４ｍＮ・ｍ以下であり、シート２２３Ｂは長手方向全長に亘ってテーバーこわさが０．４ｍＮ・ｍ超である。本実施形態の毛髪保持具２００によれば、シート２２３Ａ、シート２２３Ｂの何れを内側に巻回しても、筒状体２１２を円滑に巻回することができ、毛髪に、容易且つ確実に綺麗なカールを付与することができる。
【００９０】
図１８〜図２２に示す実施形態の毛髪保持具は、例えば次に述べるような変更が適宜可能である。筒状体が扁平形状の場合、テーバーこわさが０．４ｍＮ・ｍ以下のシートが筒状体における横断面の少なくとも半周を占めていれば、該シートは筒状体の一方の面から他方の面に亘って配置していてもよい。また、扁平形状としては、弓形状の二面を結合してなる形状でもよい。また筒状体は、全体として実質的に伸縮性を有していなければ、筒状体を構成するシートの一部が伸縮性を有していてもよい。図２１に示す実施形態においては、筒状体２１２は、一枚の伸縮性を有するシートを二つ折りし、その側端部同士を接合させて形成されているが、伸縮性を有するシートから形成される筒状体は、二枚の該シートを、その側端部同士を接合させて形成することもできる。
【００９１】
図１８〜図２２に示す実施形態の毛髪保持具における筒状体は、その形成方法について特に制限はなく、シートを縫合、融着又は接着して形成したものでも、押出成形等により当初から筒状に形成したものでもよい。図１８及び図２０に示す実施形態においては、筒状体を構成するシートとして、パーマ用の毛髪処理剤に対して透過性を有する不織布を用いているが、本発明においては、筒状体を構成するシートとして液不透過性のシートを用いることができ、更に、筒状体の他端の開口部にチャックを設け、該開口部を閉塞可能な構造とすることもできる。また、筒状体を構成するシートに長手方向に塑性変形部材を接合させてもよく、このような構成の毛髪保持具を用いて毛髪束を巻回すると、筒状体に挿通された毛髪束の復元力を抑制することができる。更に、図１８〜図２２に示す実施形態においては、筒状体は、その両端が開口しているが、筒状体は、その一端が開口し且つその他端に閉口可能な手段を設けてあるものでもよい。また更に、図１８〜図２２に示す実施形態のそれぞれ異なる部分を、適宜変更したり組み合わせた形態とすることもできる。
【００９２】
図１８〜図２２に示す実施形態の毛髪保持具における「筒状体」を構成するシート材の形状及びその表面状態は、上述の形態の筒状体を形成可能なものであれば良く、「扁平状」という場合、シート材の表面は、凹凸面であってもよい。また、本発明の毛髪保持具における「筒状体」は、図２３に示すような末広がりの形状でも良く、このようにすれば、毛髪挿入性を良くすることができる。
【００９３】
図１８〜図２２に示す実施形態の毛髪保持具は巻き上げ手段を有さなくてもよい。その場合には例えば毛髪保持具内に毛髪束を挿入した後、該毛髪保持具を手で巻き上げればよい。例えば、パーマ処理によって毛髪に直接カールを付与する場合について、図２４を参照しながら説明する。先ず、毛髪束Ｈの量や得ようとするカール形状に応じて、適当なテーバーこわさ、長さ及び幅を有する筒状体２１２からなる毛髪保持具２００を用い、図２４（ａ）に示すように、筒状体２１２の一端の開口部２２１を楕円形状に開口して、該開口部２２１から毛髪束Ｈを挿入する。そして、図２４（ｂ）に示すように、毛髪束Ｈを、その先端が筒状体２１２の他端の開口部２２２から少しはみ出るまで、筒状体２１２に挿通させる。毛髪束Ｈを筒状体２１２に挿通させた後、図２４（ｃ）及び図２４（ｄ）に示すように、毛髪保持具２００を筒状体２１２の他端の開口部２２２の側から、所望の巻回径で巻回し、クリップ（図示せず）等の周知の固定手段を用いて毛髪束Ｈの巻回状態を保持する。その後、筒状体２１２の外側からパーマ用の毛髪処理剤を毛髪束Ｈに付与する。所定時間後、筒状体２１２から毛髪束Ｈを挿脱し、洗髪等して、パーマ処理を完了する。尚、筒状体２１２の開口部２２１から毛髪束Ｈを挿入させる際に、必要に応じ、該開口部２２１を真円状に開口した方が、毛髪束Ｈをスムーズに挿入させ易い。また、必ずしも、毛髪束Ｈの先端を筒状体２１２の他端の開口部２２２からはみ出させる必要はない。
【００９４】
図１８〜図２２に示す実施形態の毛髪保持具であって、巻き上げ手段を有さない毛髪保持具においては、毛髪束Ｈの巻回の際には、従来と同様に、ロッドを併用してもよい。筒状体２１２が液不透過性のシートから構成されている毛髪保持具２００を用いてパーマ処理をする場合には、パーマ用の毛髪処理剤を筒状体の開口部２２１から注入すればよい。また、巻き上げ手段を有さない毛髪保持具は、パーマ処理により毛髪にカールを付与する場合に限らず、毛髪束を巻回した後、ドライヤー等により熱処理したり、乾燥した毛髪を巻回状態で保持したり、濡れた状態の毛髪を巻回状態で保持し自然乾燥させたりして、毛髪にカールを付与する場合等にも適用することができる。また、毛髪の先端にカールを付与する場合以外にも、毛髪に波状にカールを付与する場合、毛髪に螺旋状にカールを付与する場合等にも適用が可能である。
【００９５】
図２５〜図３３に示す実施形態の毛髪処理器具は、一端部に毛髪取り込み口を有し、長手方向に延びる毛髪挿入空間を有する細長の筒形状をしており、該空間は、毛髪が蛇行して挿通されるように形成されている毛髪保持具を備えている。そして、これらの毛髪処理器具は、これまで説明してきた実施形態の毛髪処理器具と異なり、巻き上げ手段を備えていなくても、毛髪にくせ付けをすることができるものである。
【００９６】
図２５に示す毛髪処理器具１００は、細長形状であり、毛髪の保持が可能になされている毛髪保持具４００と毛髪挿入具３００とを具備している。毛髪保持具４００は細長筒形状をしており、可撓性を有するシート材を細長の扁平な袋状に形成して構成されている。毛髪は毛髪保持具４００内に挿入されて保持される。毛髪保持具４００は、一端部及び他端部を有しており、各端部は開口している。両端部のうち上端部は毛髪取り込み口４０４となっている。毛髪保持具４００の長さは、処理すべき毛髪の長さに応じて適切な長さとされ、好ましくは処理すべき毛髪の長さよりも長くなっている。毛髪保持具４００の長さは一般に５０〜６００ｍｍ程度の範囲である。またその幅は一般に１０〜１５０ｍｍ程度である。
【００９７】
毛髪保持具４００は、細長い短冊状のシート材４２１，４２２が二枚接合されて構成されている。各シート材４２１，４２２は同一形状であり、その両側部同士が所定の接合手段で接合されて側縁接合部４２３，４２３を形成している。また、各シート材４２１，４２２は、その縦中心線に沿って断続的に接合されており、これによって所定間隔を置いた点状の中央接合部４２４が多数形成されている。中央接合部４２４同士の距離は、毛髪にどの程度のくせ付けをさせたいかに応じて適宜調整する。一般に中央接合部４２４同士の距離は１０〜１００ｍｍ程度となっている。これらの接合部４２３，４２４によって、毛髪保持具４００の内部には空間が形成される。斯かる空間は、後述するように、毛髪が毛髪保持具４００の扁平面内において蛇行するように形成されているものである。
【００９８】
毛髪保持具４００を構成するシート材としては、各種可撓性材料が用いられる。その例としては、不織布、多孔性又は非多孔性の樹脂フィルム、紙、樹脂ネット、又はこれらの複合体などが挙げられ、毛髪保持具４００の具体的用途に応じて適切な材料が選択される。例えば、毛髪保持具４００内に挿入された状態の毛髪に対して毛髪保持具４００の外部から毛髪処理剤を施したいときには、該毛髪処理剤に対して透過性を有する材料を用いればよい。
【００９９】
毛髪挿入具３００は毛髪保持具４００内に挿入された状態で使用される。詳細には、図２５（ａ）に示すように、毛髪挿入具３００のフック部３１０を毛髪保持具４００の毛髪取り込み口４０４側に向けて挿入された状態で使用される。毛髪挿入具３００の把持部３０９は、毛髪保持具４０内部の空間に挿通される。把持部３０９の端部は、毛髪保持具４００の下端部から外方に延ばしておく。図２５（ａ）に示すように、把持部３０９は、隣り合う中央接合部４２４の間を横切るように挿通される。その結果、把持部３０９は扁平な毛髪保持具４００の扁平面内を、蛇行した波形形状に挿通されることになる。
【０１００】
次に、本実施形態の毛髪処理器具１００の使用方法について図２６（ａ）及び図２６（ｂ）を参照しながら説明する。先ず図２６（ａ）に示すように、毛髪挿入具３００のフック部３１０を、毛髪保持具４００の毛髪取り込み口４０４から突出させる。そして、フック部３１０に所望量の毛髪Ｈを引っかけ、この状態下に毛髪挿入具３００の下端部から引き出されている毛髪挿入具３００の把持部３０９を引っ張る。これによって、フック部３１０に引っかけられている毛髪Ｈがフック部３１０と共に毛髪保持具４００内に挿入される。図２６（ａ）に示すように把持部３０９は、毛髪保持具４００の扁平面内を、蛇行した波形形状に挿通されているので、フック部３１０と共に毛髪保持具４００内に挿入された毛髪Ｈは、図２６（ｂ）に示すように毛髪保持具４００の扁平面内において、蛇行した波形形状に挿通される。フック部３１０は、毛髪保持具４００の下端部を通じて毛髪保持具４００の外に引き出される。
【０１０１】
このようにして毛髪保持具４００内に挿入された毛髪Ｈは、該毛髪保持具４００内において、蛇行した波形形状となった状態が保持されるので、この状態を長時間維持すれば、毛髪Ｈにウエーブ状のくせ付けがされる。また毛髪保持具４００が、パーマネント処理剤などの毛髪処理剤に対して透過性を有する材料、例えば不織布や樹脂製ネットから構成されている場合には、毛髪保持具４００の外部から該毛髪処理剤を施すことによって、くせ付けのされたパーマネント処理が施される。
【０１０２】
図２７（ａ）及び図２７（ｂ）に示す実施形態、並びに図２８（ａ）及び図２８（ｂ）に示す実施形態においては、毛髪保持具４００は、細長い短冊状のシート材４２１，４２２が二枚接合されて構成されている。両シート材の接合によって、毛髪保持具４００には接合部４２５と非接合部４２６とが形成される。接合部４２５は、各シート材４２１，４２２の非接合部４２６によって、毛髪保持具４００の長手方向に延びる蛇行した空間が、縦中心線に沿って形成されるような接合形状になっている。図２７（ａ）に示す実施形態と図２８（ａ）に示す実施形態とが異なる点は、図２７（ａ）に示す実施形態では、非接合部４２６によって形成された空間以外の領域はすべて接合部４２５となっているのに対して、図２８（ａ）に示す実施形態では、蛇行した非接合部４２６の両側にのみ線状の接合部４２５が形成されており、各シート材４２１，４２２の両側部では両シートが接合されていない点である。両実施形態における空間の蛇行の程度は、毛髪にどの程度のくせ付けをさせたいかに応じて適宜調整する。
【０１０３】
図２９（ａ）及び図２９（ｂ）に示す実施形態においては、毛髪保持具４００は、細長い短冊状のシート材４２１，４２２が二枚接合されて構成されている。各シート材４２１，４２２は、その左右両側部同士が所定の接合手段で接合されて左右の側縁接合部４２３，４２３を形成している。各側縁接合部４２３には、内方へ向かって突出した突出接合部４２７が延設されている。各突出接合部４２７は、長手方向に所定間隔を置いて形成されている。左右それぞれの側縁部に形成されている突出接合部４２７は、一方の側縁部に形成されている突出接合部４２７が、他方の側縁部に形成されている隣り合う突出接合部４２７，４２７の中間の位置に位置するように形成されている。つまり左右の突出接合部は互い違いの位置に形成されている。本実施形態における突出接合部４２７の形状は山形をしている。しかし、突出接合部４２７の形状はこれに限られず例えば三角形や矩形であってもよい。本実施形態においては、接合部４２３，４２７以外の領域である非接合部によって、毛髪保持具４００の長手方向に延びる蛇行した空間が、縦中心線に沿って形成される。
【０１０４】
図３０に示す実施形態の毛髪保持具４００は、図２５（ａ）に示す実施形態における毛髪保持具が多列に並設されたものに相当する。尚、図３０では毛髪挿入具が省略されている。本実施形態の毛髪保持具４００は、矩形のシート材を二枚重ね、長手方向に延びる線状の接合部４２３によって接合することで形成される。接合部４２３は、シート材の幅方向に所定間隔を置いて多数形成されている。隣り合う接合部４２３の間の距離は、図２５（ａ）に示す実施形態の毛髪保持具の幅と同様とすることができる。隣り合う接合部４２３の間には、それらの中間の位置に、長手方向に延びる点状の中央接合部４２４が所定間隔を置いて多数形成されている。隣り合う中央接合部４２４間の距離は図２５（ａ）に示す実施形態の毛髪保持具と同様とすることができる。本実施形態の毛髪保持具４００によれば、図２５（ａ）に示す実施形態の毛髪保持具に比べて、多量の毛髪を一度にくせ付けできる。
【０１０５】
図３１に示す実施形態の毛髪保持具４００は、図２５（ａ）に示す実施形態における毛髪保持具が厚さ方向に複数個重ねられたものに相当する。本実施形態の毛髪保持具４００は、細長い短冊状のシート材４２１の各面に、該シート材４２１と同形状のシート材４２２Ａ，４２２Ｂがそれぞれ重ね合わされている。各シート材４２１，４２２Ａ，４２２Ｂは、その両側部同士が所定の接合手段で接合されており、これによって側縁接合部４２３，４２３が形成されている。また、各シート材４２１，４２２Ａ，４２２Ｂは、その縦中心線に沿って断続的に接合されており、これによって所定間隔を置いた点状の中央接合部４２４が多数形成されている。本実施形態の毛髪保持具４００によっても、図３０に示す実施形態と同様に、図２５（ａ）に示す実施形態の毛髪保持具に比べて、多量の毛髪を一度にくせ付けできる。
【０１０６】
図３２に示す実施形態の毛髪保持具４００は、細長い短冊状のシート材４２１，４２２が貼り合わせて構成されている。各シート材４２１，４２２には、その一部が該シート材の面内から突出した突出部４２８，４２８，・・が該シート材の長手方向に多数形成されている。各突出部４２８は、シート材の縦中心線に沿って形成されている。各突出部４２８は、各シート材４２１，４２２同士を貼り合わせたときに、各突出部４３０同士が対向することで、該シート材の面内に対して上下方向に蛇行した空間が形成されるような形状及び／又は位置に形成されている。各突出部４３０は、シート材をプレス成形することで形成することができる。本実施形態においては、前記空間は、シート材の面内と直交する方向に蛇行する管状の形状となっている。
【０１０７】
図３３に示す実施形態の毛髪保持具４００は、これまで説明した実施形態のものと異なり円管から構成されている。この円管は螺旋状に巻回されている。本実施形態によれば毛髪は螺旋状にくせ付けされる。この円管は、引き伸ばすことのできない固定状態となっていてもよい。或いは円管は、引き伸ばすことのできる性質を有しており、引き伸ばされた状態から自然状態（つまり引き伸ばす力が加わっていない状態）となったときに、自発的に図示する螺旋状に巻回されるようになっていてもよい。円管が引き伸ばすことのできる性質を有している場合には、円管を引き伸ばした状態で該円管内に毛髪を挿入し、次いで引き伸ばす力を解放することで自発的に図示する巻回状態となるので、毛髪の挿入性が向上するという利点がある。
【０１０８】
図２５（ａ）〜図３３に示す実施形態においては、図１〜図２２に示す実施形態と同様に、毛髪保持具に所定の巻き上げ手段を付加してもよい。巻き上げ手段としては、毛髪保持具４００を手で巻き上げた後にクリップやピンで巻き上げ状態を固定する手段や、毛髪保持具に自己接着性を付与する手段がある。更に、巻き上げ手段として、先に説明した巻き上げ用糸や熱収縮を利用することも可能である。毛髪保持具４００に毛髪を挿入した後に巻き上げることで、更に複雑な三次元状のくせ付けを行うことが可能となる。具体的には、図２５（ａ）に示す実施形態を例にとれば、図３４（ａ）に示すように、巻き上げ手段として巻き上げ用糸６が用いられる。巻き上げ用糸６は、毛髪保持具４００の長手方向に伸びており、ぐし縫い状に毛髪保持具４００を貫通するように取り付けられている。詳細には、毛髪保持具４００を正面から視たときに、巻き上げ用糸６が、毛髪保持具４００の正面側と背面側とを交互に通過するように、毛髪保持具４００に取り付けられている。巻き上げ用糸６は、各中央接合部４２４を貫通している。巻き上げ用糸６は、毛髪保持具４００の最下端に位置する中央接合部４２４の位置において引き抜かれないようになされている。具体的には、巻き上げ用糸６の一端を、最下端に位置する中央接合部４２４で毛髪保持具４００に固定することで、その引き抜きを防止している。一方、毛髪取り込み口４０４に最も近い位置にある中央接合部４２４においては、巻き上げ用糸６が自由状態となっている。
【０１０９】
毛髪保持具４００に取り付けられている巻き上げ用糸６の自由端を引っ張ると、図３４（ｂ）に示すように、毛髪保持具４００は毛髪（図示せず）と共に蛇腹状に折り畳まれ、毛髪は略ジグザグ形に屈曲される。そして、その屈曲状態を保持するために、毛髪保持具４００から引き出されている巻き上げ用糸６の根元をクリップ（図示せず）で係止する。この実施形態によれば、平面内（つまり二次元）で蛇行していた毛髪が略ジグザグ形に屈曲されることで、複雑な三次元状のくせ付けをすることができる。
【０１１０】
巻き上げ手段に関しては、図２７（ａ）〜図３２に示す実施形態についても、図２５（ａ）に示す実施形態と同様に適用できる。また、図２５（ａ）〜図３２に示す実施形態においては、複数枚のシート材を用いて毛髪保持具を構成したが、必要に応じ１枚のシート材から毛髪保持具を構成してもよい。
【０１１１】
以上、図１〜図３４を参照して種々述べてきた実施形態においては、毛髪束の巻回の際に、巻き上げ手段を用いるが、これに加えて従来と同様に、ロッドを併用してもよい。
【０１１２】
尚、前述した毛髪処理器具及び毛髪処理方法に関する各実施形態の内容は、本発明の趣旨を逸脱しない範囲で相互に置換することができる。
【図面の簡単な説明】
【０１１３】
【図１】図１は、本発明の毛髪処理器具の一実施形態を示す斜視図である。
【図２】図２（ａ）、図２（ｂ）、図２（ｃ）及び図２（ｄ）はそれぞれ、図１に示す毛髪処理器具を用いた毛髪処理方法の工程図である。
【図３】図３は、毛髪保持具の別の実施形態を示す図である。
【図４】図４は、毛髪処理方法の別の工程図である。
【図５】図５（ａ）及び図５（ｂ）はそれぞれ、毛髪挿入具の別の実施形態を示す図である。
【図６】図６は、毛髪処理器具の別の実施形態を示す図である。
【図７】図７は、挿入補助具の更に別の実施形態を示す図である。
【図８】図８（ａ）、図８（ｂ）及び図８（ｃ）はそれぞれ、毛髪保持具の別の実施形態を示す図である。
【図９】図９（ａ）、図９（ｂ）及び図９（ｃ）はそれぞれ、毛髪保持具の別の実施形態を示す図である。
【図１０】図１０（ａ）及び図１０（ｂ）はそれぞれ毛髪保持具の別の実施形態を示す図である。
【図１１】図１１（ａ）及び図１１（ｂ）はそれぞれ毛髪保持具の別の実施形態を示す図である。
【図１２】図１２（ａ）及び図１２（ｂ）はそれぞれ毛髪保持具の別の実施形態を示す図である。
【図１３】図１３（ａ）、図１３（ｂ）及び図１３（ｃ）はそれぞれ、毛髪保持具の別の実施形態を示す図である。
【図１４】図１４は、毛髪保持具の別の実施形態を示す図である。
【図１５】図１５は、毛髪処理器具の別の実施形態を示す図である。
【図１６】図１６は、毛髪処理器具の別の実施形態を示す図である。
【図１７】図１７は、毛髪保持具の別の実施形態を示す図である。
【図１８】図１８は、毛髪保持具の別の実施形態を示す図である。
【図１９】図１９は、各種可撓性材料を用いて形成された筒状体についての評価結果を示すグラフである。
【図２０】図２０は、毛髪保持具の別の実施形態を示す図である。
【図２１】図２１は、毛髪保持具の別の実施形態を示す図である。
【図２２】図２２は、毛髪保持具の別の実施形態を示す図である。
【図２３】図２３は、毛髪保持具の別の実施形態の概要を示す図である。
【図２４】図２４（ａ）、図２４（ｂ）、図２４（ｃ）及び図２４（ｄ）はそれぞれ、巻き上げ手段を有さない毛髪保持具を用いた、毛髪束の巻回手順を順次示す斜視図である。
【図２５】図２５（ａ）は、毛髪処理器具の別の実施形態を示す平面図であり、図２５（ｂ）及び図２５（ｃ）はそれぞれ、図２５（ａ）におけるｂ−ｂ線断面図及びｃ−ｃ線断面図である。
【図２６】図２６（ａ）及び図２６（ｂ）はそれぞれ、毛髪処理器具の使用方法を示す図である。
【図２７】図２７（ａ）は、毛髪処理器具の別の実施形態を示す平面図であり、図２７（ｂ）は、図２７（ａ）におけるｂ−ｂ線断面図である。
【図２８】図２８（ａ）は、毛髪処理器具の別の実施形態を示す平面図であり、図２８（ｂ）は、図２８（ａ）におけるｂ−ｂ線断面図である。
【図２９】図２９（ａ）は、毛髪処理器具の別の実施形態を示す平面図であり、図２９（ｂ）は、図２９（ａ）におけるｂ−ｂ線断面図である。
【図３０】図３０は、毛髪処理器具の別の実施形態を示す平面図である。
【図３１】図３１は、毛髪処理器具の別の実施形態を示す断面図である。
【図３２】図３２は、毛髪処理器具の別の実施形態を示す斜視図である。
【図３３】図３３は、毛髪処理器具の別の実施形態を示す斜視図である。
【図３４】図３４（ａ）は、図２５（ａ）に示す実施形態の毛髪保持具に巻き上げ手段を取り付けた状態を表す模式図であり、図３４（ｂ）は、図３４（ａ）の毛髪処理具を巻き上げた状態を示す図である。
【符号の説明】
【０１１４】
１ 毛髪処理器具
２ 毛髪保持具
３ 毛髪挿入具
４ 毛髪取り込み口
５ チャック
６ 巻き上げ用糸
７ 挿通孔
８Ａ，８Ｂ 挿通孔列
９ 把持部
１０ フック部
【図１】
2005324073.tif 000003
【図２】
2005324073.tif 000004
【図３】
2005324073.tif 000005
【図４】
2005324073.tif 000006
【図５】
2005324073.tif 000007
【図６】
2005324073.tif 000008
【図７】
2005324073.tif 000009
【図８】
2005324073.tif 000010
【図９】
2005324073.tif 000011
【図１０】
2005324073.tif 000012
【図１１】
2005324073.tif 000013
【図１２】
2005324073.tif 000014
【図１３】
2005324073.tif 000015
【図１４】
2005324073.tif 000016
【図１５】
2005324073.tif 000017
【図１６】
2005324073.tif 000018
【図１７】
2005324073.tif 000019
【図１８】
2005324073.tif 000020
【図１９】
2005324073.tif 000021
【図２０】
2005324073.tif 000022
【図２１】
2005324073.tif 000023
【図２２】
2005324073.tif 000024
【図２３】
2005324073.tif 000025
【図２４】
2005324073.tif 000026
【図２５】
2005324073.tif 000027
【図２６】
2005324073.tif 000028
【図２７】
2005324073.tif 000029
【図２８】
2005324073.tif 000030
【図２９】
2005324073.tif 000031
【図３０】
2005324073.tif 000032
【図３１】
2005324073.tif 000033
【図３２】
2005324073.tif 000034
【図３３】
2005324073.tif 000035
【図３４】
2005324073.tif 000036
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
一端部に毛髪取り込み口を有する細長形状の可撓性材料からなる毛髪保持具と、該毛髪保持具内に毛髪を挿入する毛髪挿入具と、該毛髪保持具に保持された毛髪を所定の形状に巻き上げ、湾曲又は屈曲させる巻き上げ手段とが備えられている毛髪処理器具であって、
前記毛髪保持具は、複数枚の帯状シートを互いに接合して筒状に形成されており、複数枚の前記帯状シートのうちの少なくとも１枚が、前記巻き上げ手段としての熱収縮性シートからなり、その他の帯状シートが熱収縮性を有していないシートからなり、
前記毛髪保持具における横断面の少なくとも半周部分の部分は、該毛髪保持具の長手方向全長に亘って、テーバーこわさが０．４ｍＮ・ｍ以下である毛髪処理器具。
【請求項２】
一端部に毛髪取り込み口を有する細長形状の可撓性材料からなる毛髪保持具と、該毛髪保持具内に毛髪を挿入する毛髪挿入具と、該毛髪保持具に保持された毛髪を所定の形状に巻き上げ、湾曲又は屈曲させる巻き上げ手段とが備えられている毛髪処理器具であって、
前記毛髪保持具は細長筒形状からなり、該毛髪保持具をその長手方向に引き伸ばした状態から、所定の巻き上げ形態に巻き上げられた状態へ自発的に巻き上げられるようにくせ付けされており、該くせ付けが前記巻き上げ手段を構成しており、
前記毛髪保持具における横断面の少なくとも半周部分の部分は、該毛髪保持具の長手方向全長に亘って、テーバーこわさが０．４ｍＮ・ｍ以下である毛髪処理器具。
【請求項３】
前記毛髪挿入具は、その先端に毛髪のフック部を有し、前記毛髪保持具内に、前記毛髪挿入具がそのフック部を前記毛髪保持具の毛髪取り込み口側に向けて挿入された状態で使用される請求項１又は２記載の毛髪処理器具。
【請求項４】
前記フック部はループ形状であってその周長が前記毛髪取り込み口の周長よりも大きくなされていると共に該フック部が変形可能になされている請求項１又は２記載の毛髪処理器具。
【請求項５】
前記フック部が櫛歯を有している請求項４記載の毛髪処理器具。
【請求項６】
前記毛髪取り込み口及びその近傍の部位が、前記毛髪保持具における他の部位よりも高剛性となされている請求項１又は２記載の毛髪処理器具。
【請求項７】
前記毛髪保持具の他端部が開閉可能になされている請求項１又は２記載の毛髪処理器具。
【請求項８】
前記毛髪保持具の内面に、毛髪処理剤が施されている請求項１又は２記載の毛髪処理器具。
【請求項９】
前記毛髪保持具がその短手方向に伸縮性を有している請求項１又は２記載の毛髪処理器具。
【請求項１０】
前記毛髪保持具は、２枚のシートを、その長手方向に沿う側端部同士を接合させて形成されており、少なくとも一方の該シートのテーバーこわさが０．４ｍＮ・ｍ以下である請求項１又は２記載の毛髪処理器具。
【請求項１１】
前記毛髪処理器具の使用前に、前記毛髪挿入具が、予め前記毛髪保持具に取り付けられている請求項１又は２記載の毛髪処理器具。
【手続補正２】
【補正対象書類名】明細書
【補正対象項目名】００１２
【補正方法】変更
【補正の内容】
【００１２】
本発明は、一端部に毛髪取り込み口を有する細長形状の可撓性材料からなる毛髪保持具と、該毛髪保持具内に毛髪を挿入する毛髪挿入具と、該毛髪保持具に保持された毛髪を所定の形状に巻き上げ、湾曲又は屈曲させる巻き上げ手段とが備えられている毛髪処理器具であって、
前記毛髪保持具は、複数枚の帯状シートを互いに接合して筒状に形成されており、複数枚の前記帯状シートのうちの少なくとも１枚が、前記巻き上げ手段としての熱収縮性シートからなり、その他の帯状シートが熱収縮性を有していないシートからなり、
前記毛髪保持具における横断面の少なくとも半周部分の部分は、該毛髪保持具の長手方向全長に亘って、テーバーこわさが０．４ｍＮ・ｍ以下である毛髪処理器具を提供することにより前記目的を達成したものである。
【手続補正３】
【補正対象書類名】明細書
【補正対象項目名】００１３
【補正方法】変更
【補正の内容】
【００１３】
また、本発明は、一端部に毛髪取り込み口を有する細長形状の可撓性材料からなる毛髪保持具と、該毛髪保持具内に毛髪を挿入する毛髪挿入具と、該毛髪保持具に保持された毛髪を所定の形状に巻き上げ、湾曲又は屈曲させる巻き上げ手段とが備えられている毛髪処理器具であって、
前記毛髪保持具は細長筒形状からなり、該毛髪保持具をその長手方向に引き伸ばした状態から、所定の巻き上げ形態に巻き上げられた状態へ自発的に巻き上げられるようにくせ付けされており、該くせ付けが前記巻き上げ手段を構成しており、
前記毛髪保持具における横断面の少なくとも半周部分の部分は、該毛髪保持具の長手方向全長に亘って、テーバーこわさが０．４ｍＮ・ｍ以下である毛髪処理器具を提供することにより前記目的を達成したものである。